(57)【要約】  本願の実施例はデータ伝送方法、端末装置及びネットワーク機器を開示し、該方法は、第１端末装置は、パケットデータコンバージェンスプロトコル（ＰＤＣＰ）のプロトコルデータユニット（ＰＤＵ）の伝送方式を確定し、前記伝送方式が、データコピー伝送方式又は単一リンク伝送方式を含むことと、該第１端末装置は、該ＰＤＣＰ  ＰＤＵの伝送方式に基づき、第２端末装置又はネットワーク機器へ該ＰＤＣＰ  ＰＤＵを送信することと、を含む。本願の実施例の方法、端末装置及びネットワーク機器は、リソース利用率とデータ伝送の信頼性との関係のバランスを取ることに役立つ。
2020515182.tif 000002
【特許請求の範囲】
【請求項１】
データ伝送方法であって、
第１端末装置は、伝送対象のパケットデータコンバージェンスプロトコル（ＰＤＣＰ）のプロトコルデータユニット（ＰＤＵ）の伝送方式を確定し、前記伝送方式が、データコピー伝送方式又は単一リンク伝送方式を含むことと、
前記第１端末装置は、前記ＰＤＣＰ  ＰＤＵの伝送方式に基づき、第２端末装置又はネットワーク機器へ前記ＰＤＣＰ  ＰＤＵを送信することと、を含むことを特徴とする、前記データ伝送方法。
【請求項２】
前記第１端末装置が、伝送対象のパケットデータコンバージェンスプロトコル（ＰＤＣＰ）のプロトコルデータユニット（ＰＤＵ）の伝送方式を確定することは、
前記第１端末装置は、少なくとも１つのリンクのチャネル品質情報に基づき、前記ＰＤＣＰ  ＰＤＵの伝送方式を確定することを含むことを特徴とする
請求項１に記載の方法。
【請求項３】
前記少なくとも１つのリンクのチャネル品質情報が前記少なくとも１つのリンクの第１時間帯内の再伝送スケジューリング回数、前記少なくとも１つのリンクの第２時間帯内の連続初回伝送スケジューリング回数又は前記少なくとも１つのリンクの変調・符号化方式（ＭＣＳ）値を含み、
前記第１端末装置が、少なくとも１つのリンクのチャネル品質情報に基づき、前記ＰＤＣＰ  ＰＤＵの伝送方式を確定することは、
前記第１端末装置は、前記少なくとも１つのリンクの第１時間帯内の再伝送スケジューリング回数、前記少なくとも１つのリンクの第２時間帯内の連続初回伝送スケジューリング回数又は前記少なくとも１つのリンクのＭＣＳ値に基づき、前記ＰＤＣＰ  ＰＤＵの伝送方式を確定することを含むことを特徴とする
請求項２に記載の方法。
【請求項４】
前記第１端末装置が前記少なくとも１つのリンクの第１時間帯内の再伝送スケジューリング回数に基づき、前記ＰＤＣＰ  ＰＤＵの伝送方式を確定することは、
前記少なくとも１つのリンクのうちのいずれか１つのリンクの前記再伝送スケジューリング回数が第１閾値以下である場合、前記第１端末装置は、前記ＰＤＣＰ  ＰＤＵの伝送方式を単一リンク伝送方式として確定し、又は
前記少なくとも１つのリンクのうちの各リンクの前記再伝送スケジューリング回数がいずれも前記第１閾値より大きい場合、前記第１端末装置は、前記ＰＤＣＰ  ＰＤＵの伝送方式をデータコピー伝送方式として確定することを含むことを特徴とする
請求項３に記載の方法。
【請求項５】
前記第１端末装置が前記各リンクの第２時間帯内の連続初回伝送スケジューリング回数に基づき、前記ＰＤＣＰ  ＰＤＵの伝送方式を確定することは、
前記少なくとも１つのリンクのうちのいずれか１つのリンクの前記連続初回伝送スケジューリング回数が第２閾値以上である場合、前記第１端末装置は、前記ＰＤＣＰ  ＰＤＵの伝送方式を単一リンク伝送方式として確定し、又は
前記少なくとも１つのリンクのうちの各リンクの前記連続初回伝送スケジューリング回数がいずれも前記第２閾値より小さい場合、前記第１端末装置は、前記ＰＤＣＰ  ＰＤＵの伝送方式をデータコピー伝送方式として確定することを含むことを特徴とする
請求項３に記載の方法。
【請求項６】
前記第１端末装置が前記各リンクのＭＣＳ値に基づき、前記ＰＤＣＰ  ＰＤＵの伝送方式を確定することは、
前記少なくとも１つのリンクの前記ＭＣＳ値が第３閾値以上である場合、前記第１端末装置は、前記ＰＤＣＰ  ＰＤＵの伝送方式を単一リンク伝送方式として確定し、又は
前記少なくとも１つのリンクのうちの各リンクの前記ＭＣＳ値がいずれも前記第３閾値より小さい場合、前記第１端末装置は、前記ＰＤＣＰ  ＰＤＵの伝送方式をデータコピー伝送方式として確定することを含むことを特徴とする
請求項３に記載の方法。
【請求項７】
前記方法は、更に、
前記第１端末装置は、前記第２端末装置又はネットワーク機器から送信された、前記ＰＤＣＰ  ＰＤＵの伝送方式を示すための第１指示情報を受信することを含み、
前記第１端末装置がパケットデータコンバージェンスプロトコル（ＰＤＣＰ）のプロトコルデータユニット（ＰＤＵ）の伝送方式を確定することは、
前記第１端末装置は、前記第１指示情報に基づき、前記ＰＤＣＰ  ＰＤＵの伝送方式を確定することを含むことを特徴とする
請求項１に記載の方法。
【請求項８】
前記少なくとも１つのリンクが複数のリンクであり、前記方法は、更に、
前記ＰＤＣＰ  ＰＤＵの伝送方式が単一リンク伝送方式である場合、前記第１端末装置は、前記複数のリンクのうちのチャネル品質の最も良いリンクを、前記ＰＤＣＰ  ＰＤＵを伝送するためのリンクとして確定し、又は
前記ＰＤＣＰ  ＰＤＵの伝送方式がデータコピー伝送方式である場合、前記第１端末装置は、前記複数のリンクのうちの各リンクのチャネル品質の優先度の降順に基づいて、前記複数のリンクのうちの複数のリンクを、前記ＰＤＣＰ  ＰＤＵのコピーデータを伝送するためのリンクとして確定することを含むことを特徴とする
請求項２〜６のいずれか１項に記載の方法。
【請求項９】
前記方法は、更に、
前記第１端末装置は、前記第２端末装置又はネットワーク機器から送信された、前記ＰＤＣＰ  ＰＤＵを伝送するためのリンクを示すための第２指示情報を受信することと、
前記第１端末装置は、前記第２指示情報に基づき、前記ＰＤＣＰ  ＰＤＵを伝送するための前記リンクを確定することと、を含むことを特徴とする
請求項７に記載の方法。
【請求項１０】
データ伝送方法であって、
ネットワーク機器は、第１端末装置のパケットデータコンバージェンスプロトコル（ＰＤＣＰ）のプロトコルデータユニット（ＰＤＵ）の伝送方式を確定し、前記伝送方式が、データコピー伝送方式又は単一リンク伝送方式を含むことと、
前記ネットワーク機器は、前記ＰＤＣＰ  ＰＤＵの伝送方式を示すための第１指示情報を前記第１端末装置に送信することと、を含むことを特徴とする、前記データ伝送方法。
【請求項１１】
前記ネットワーク機器が第１端末装置のパケットデータコンバージェンスプロトコル（ＰＤＣＰ）のプロトコルデータユニット（ＰＤＵ）の伝送方式を確定することは、
前記ネットワーク機器は、少なくとも１つのリンクのチャネル品質情報に基づき、前記ＰＤＣＰ  ＰＤＵの伝送方式を確定することを含むことを特徴とする
請求項１０に記載の方法。
【請求項１２】
前記少なくとも１つのリンクのチャネル品質情報が前記少なくとも１つのリンクの第１時間帯内の再伝送スケジューリング回数、前記少なくとも１つのリンクの第２時間帯内の連続初回伝送スケジューリング回数又は前記各リンクの変調・符号化方式（ＭＣＳ）値を含み、
前記ネットワーク機器が、少なくとも１つのリンクのチャネル品質情報に基づき、前記ＰＤＣＰ  ＰＤＵの伝送方式を確定することは、
前記ネットワーク機器は、前記少なくとも１つのリンクの第１時間帯内の再伝送スケジューリング回数、前記各リンクの第２時間帯内の連続初回伝送スケジューリング回数又は前記各リンクの変調・符号化方式（ＭＣＳ）値に基づき、前記ＰＤＣＰ  ＰＤＵの伝送方式を確定することを含むことを特徴とする
請求項１１に記載の方法。
【請求項１３】
前記ネットワーク機器が前記少なくとも１つのリンクの第１時間帯内の再伝送スケジューリング回数に基づき、前記ＰＤＣＰ  ＰＤＵの伝送方式を確定することは、
前記少なくとも１つのリンクのうちのいずれか１つのリンクの前記再伝送スケジューリング回数が第１閾値以下である場合、前記ネットワーク機器は、前記ＰＤＣＰ  ＰＤＵの伝送方式を単一リンク伝送方式として確定すること、又は
前記少なくとも１つのリンクのうちの各リンクの前記再伝送スケジューリング回数がいずれも前記第１閾値より大きい場合、前記ネットワーク機器は、前記ＰＤＣＰ  ＰＤＵの伝送方式をデータコピー伝送方式として確定すること、を含むことを特徴とする
請求項１２に記載の方法。
【請求項１４】
前記ネットワーク機器が前記少なくとも１つのリンクの第２時間帯内の連続初回伝送スケジューリング回数に基づき、前記ＰＤＣＰ  ＰＤＵの伝送方式を確定することは、
前記少なくとも１つのリンクのうちのいずれか１つのリンクの前記連続初回伝送スケジューリング回数が第２閾値以上である場合、前記ネットワーク機器は、前記ＰＤＣＰ  ＰＤＵの伝送方式を単一リンク伝送方式として確定すること、又は
前記少なくとも１つのリンクのうちの各リンクの前記連続初回伝送スケジューリング回数がいずれも前記第２閾値より小さい場合、前記ネットワーク機器は、前記ＰＤＣＰ  ＰＤＵの伝送方式をデータコピー伝送方式として確定すること、を含むことを特徴とする
請求項１２に記載の方法。
【請求項１５】
前記ネットワーク機器が前記少なくとも１つのリンクのＭＣＳ値に基づき、前記ＰＤＣＰ  ＰＤＵの伝送方式を確定することは、
前記少なくとも１つのリンクのうちのいずれか１つのリンクの前記ＭＣＳ値が第３閾値以上である場合、前記ネットワーク機器は、前記ＰＤＣＰ  ＰＤＵの伝送方式を単一リンク伝送方式として確定すること、又は、
前記少なくとも１つのリンクのうちの各リンクの前記ＭＣＳ値がいずれも前記第３閾値より小さい場合、前記ネットワーク機器は、前記ＰＤＣＰ  ＰＤＵの伝送方式をデータコピー伝送方式として確定すること、を含むことを特徴とする
請求項１２に記載の方法。
【請求項１６】
前記少なくとも１つのリンクが複数のリンクであり、前記方法は、更に、
前記ＰＤＣＰ  ＰＤＵの伝送方式が単一リンク伝送方式である場合、前記ネットワーク機器は、前記複数のリンクのうちのチャネル品質の最も良いリンクを、前記ＰＤＣＰ  ＰＤＵを伝送するためのリンクとして確定し、又は
前記ＰＤＣＰ  ＰＤＵの伝送方式がデータコピー伝送方式である場合、前記ネットワーク機器は、前記複数のリンクのうちの各リンクのチャネル品質の優先度の降順に基づいて、前記複数のリンクのうちの複数のリンクを、前記ＰＤＣＰ  ＰＤＵを伝送するためのリンクとして確定することと、
前記ネットワーク機器は、前記ＰＤＣＰ  ＰＤＵを伝送するための前記リンクを示すための第２指示情報を前記第１端末装置に送信することと、を含むことを特徴とする
請求項１０〜１５のいずれか１項に記載の方法。
【請求項１７】
データを伝送する端末装置であって、
前記端末装置が第１端末装置であり、前記端末装置は、
パケットデータコンバージェンスプロトコル（ＰＤＣＰ）のプロトコルデータユニット（ＰＤＵ）の伝送方式を確定するように構成され、前記伝送方式が、データコピー伝送方式又は単一リンク伝送方式を含む処理ユニットと、
前記ＰＤＣＰ  ＰＤＵの伝送方式に基づき、第２端末装置又はネットワーク機器へ前記ＰＤＣＰ  ＰＤＵを送信するように構成される送信ユニットと、を備えることを特徴とする、前記データを伝送する端末装置。
【請求項１８】
前記処理ユニットは、具体的に、
少なくとも１つのリンクのチャネル品質情報に基づき、前記ＰＤＣＰ  ＰＤＵの伝送方式を確定するように構成されることを特徴とする
請求項１７に記載の端末装置。
【請求項１９】
前記少なくとも１つのリンクのチャネル品質情報が前記少なくとも１つのリンクの第１時間帯内の再伝送スケジューリング回数、前記少なくとも１つのリンクの第２時間帯内の連続初回伝送スケジューリング回数又は前記少なくとも１つのリンクの変調・符号化方式（ＭＣＳ）値を含み、前記処理ユニットは、具体的に、
前記少なくとも１つのリンクの第１時間帯内の再伝送スケジューリング回数、前記少なくとも１つのリンクの第２時間帯内の連続初回伝送スケジューリング回数又は前記少なくとも１つのリンクの変調・符号化方式（ＭＣＳ）値に基づき、前記ＰＤＣＰ  ＰＤＵの伝送方式を確定するように構成されることを特徴とする
請求項１８に記載の端末装置。
【請求項２０】
前記処理ユニットは、具体的に、
前記少なくとも１つのリンクのうちのいずれか１つのリンクの前記再伝送スケジューリング回数が第１閾値以下である場合、前記ＰＤＣＰ  ＰＤＵの伝送方式を単一リンク伝送方式として確定し、又は
前記少なくとも１つのリンクのうちの各リンクの前記再伝送スケジューリング回数がいずれも前記第１閾値より大きい場合、前記ＰＤＣＰ  ＰＤＵの伝送方式をデータコピー伝送方式として確定するように構成されることを特徴とする
請求項１９に記載の端末装置。
【請求項２１】
前記処理ユニットは、具体的に、
前記少なくとも１つのリンクのうちのいずれか１つのリンクの前記連続初回伝送スケジューリング回数が第２閾値以上である場合、前記ＰＤＣＰ  ＰＤＵの伝送方式を単一リンク伝送方式として確定し、又は
前記少なくとも１つのリンクのうちの各リンクの前記連続初回伝送スケジューリング回数がいずれも前記第２閾値より小さい場合、前記ＰＤＣＰ  ＰＤＵの伝送方式をデータコピー伝送方式として確定するように構成されることを特徴とする
請求項１９に記載の端末装置。
【請求項２２】
前記処理ユニットは、具体的に、
前記少なくとも１つのリンクの前記ＭＣＳ値が第３閾値以上である場合、前記ＰＤＣＰ  ＰＤＵの伝送方式を単一リンク伝送方式として確定し、又は
前記少なくとも１つのリンクのうちの各リンクの前記ＭＣＳ値がいずれも前記第３閾値より小さい場合、前記ＰＤＣＰ  ＰＤＵの伝送方式をデータコピー伝送方式として確定するように構成されることを特徴とする
請求項１９に記載の端末装置。
【請求項２３】
前記端末装置は、更に、
前記第２端末装置又はネットワーク機器から送信された、前記ＰＤＣＰ  ＰＤＵの伝送方式を示すための第１指示情報を受信するように構成される受信ユニットを備え、
前記処理ユニットは、具体的に、
前記第１指示情報に基づき、前記ＰＤＣＰ  ＰＤＵの伝送方式を確定するように構成される
請求項１７に記載の端末装置。
【請求項２４】
前記少なくとも１つのリンクが複数のリンクであり、前記処理ユニットは、更に、
前記ＰＤＣＰ  ＰＤＵの伝送方式が単一リンク伝送方式である場合、前記少なくとも１つのリンクのうちのチャネル品質の最も良いリンクを、前記ＰＤＣＰ  ＰＤＵを伝送するためのリンクとして確定し、又は
前記ＰＤＣＰ  ＰＤＵの伝送方式がデータコピー伝送方式である場合、前記第１端末装置が前記複数のリンクのうちの各リンクのチャネル品質の優先度の降順に基づいて、前記複数のリンクのうちの複数のリンクを、前記ＰＤＣＰ  ＰＤＵを伝送するためのリンクとして確定するように構成されることを特徴とする
請求項１８〜２２のいずれか１項に記載の端末装置。
【請求項２５】
前記受信ユニットは、更に、
前記第２端末装置又はネットワーク機器から送信された、前記ＰＤＣＰ  ＰＤＵを伝送するためのリンクを示すための第２指示情報を受信するように構成され、
前記処理ユニットは、具体的に、
前記第２指示情報に基づき、前記ＰＤＣＰ  ＰＤＵを伝送するための前記リンクを確定するように構成されることを特徴とする
請求項２３に記載の端末装置。
【請求項２６】
データを伝送するネットワーク機器であって、
第１端末装置のパケットデータコンバージェンスプロトコル（ＰＤＣＰ）のプロトコルデータユニット（ＰＤＵ）の伝送方式を確定するように構成され、前記伝送方式が、データコピー伝送方式又は単一リンク伝送方式を含む処理ユニットと、
前記ＰＤＣＰ  ＰＤＵの伝送方式を示すための第１指示情報を前記第１端末装置に送信するように構成される送信ユニットと、を備えることを特徴とする、前記データを伝送するネットワーク機器。
【請求項２７】
前記処理ユニットは、具体的に、
少なくとも１つのリンクのチャネル品質情報に基づき、前記ＰＤＣＰ  ＰＤＵの伝送方式を確定するように構成されることを特徴とする
請求項２６に記載のネットワーク機器。
【請求項２８】
前記少なくとも１つのリンクのチャネル品質情報が前記少なくとも１つのリンクの第１時間帯内の再伝送スケジューリング回数、前記少なくとも１つのリンクの第２時間帯内の連続初回伝送スケジューリング回数又は前記各リンクの変調・符号化方式（ＭＣＳ）値を含み、前記処理ユニットは、具体的に、
前記少なくとも１つのリンクの第１時間帯内の再伝送スケジューリング回数、前記各リンクの第２時間帯内の連続初回伝送スケジューリング回数又は前記各リンクの変調・符号化方式（ＭＣＳ）値に基づき、前記ＰＤＣＰ  ＰＤＵの伝送方式を確定するように構成されることを特徴とする
請求項２７に記載のネットワーク機器。
【請求項２９】
前記処理ユニットは、具体的に、
前記少なくとも１つのリンクのうちのいずれか１つのリンクの前記再伝送スケジューリング回数が第１閾値以下である場合、前記ＰＤＣＰ  ＰＤＵの伝送方式を単一リンク伝送方式として確定し、又は、
前記少なくとも１つのリンクのうちの各リンクの前記再伝送スケジューリング回数がいずれも前記第１閾値より大きい場合、前記ＰＤＣＰ  ＰＤＵの伝送方式をデータコピー伝送方式として確定するように構成されることを特徴とする
請求項２８に記載のネットワーク機器。
【請求項３０】
前記処理ユニットは、具体的に、
前記少なくとも１つのリンクのうちのいずれか１つのリンクの前記連続初回伝送スケジューリング回数が第２閾値以上である場合、前記ＰＤＣＰ  ＰＤＵの伝送方式を単一リンク伝送方式として確定し、又は、
前記少なくとも１つのリンクのうちの各リンクの前記連続初回伝送スケジューリング回数がいずれも前記第２閾値より小さい場合、前記ＰＤＣＰ  ＰＤＵの伝送方式をデータコピー伝送方式として確定するように構成されることを特徴とする
請求項２８に記載のネットワーク機器。
【請求項３１】
前記処理ユニットは、具体的に、
前記少なくとも１つのリンクのうちのいずれか１つのリンクの前記ＭＣＳ値が第３閾値以上である場合、前記ＰＤＣＰ  ＰＤＵの伝送方式を単一リンク伝送方式として確定し、又は、
前記少なくとも１つのリンクのうちの各リンクの前記ＭＣＳ値がいずれも前記第３閾値より小さい場合、前記ＰＤＣＰ  ＰＤＵの伝送方式をデータコピー伝送方式として確定するように構成されることを特徴とする
請求項２８に記載のネットワーク機器。
【請求項３２】
前記少なくとも１つのリンクが複数のリンクであり、前記処理ユニットは、更に、
前記ＰＤＣＰ  ＰＤＵの伝送方式が単一リンク伝送方式である場合、前記複数のリンクのうちのチャネル品質の最も良いリンクを、前記ＰＤＣＰ  ＰＤＵを伝送するためのリンクとして確定し、又は
前記ＰＤＣＰ  ＰＤＵの伝送方式がデータコピー伝送方式である場合、前記複数のリンクのうちの各リンクのチャネル品質の優先度の降順に基づいて、前記複数のリンクのうちの複数のリンクを、前記ＰＤＣＰ  ＰＤＵを伝送するためのリンクとして確定するように構成され、
前記送信ユニットは、更に、
前記ＰＤＣＰ  ＰＤＵを伝送するためのリンクを示すための第２指示情報を前記第１端末装置に送信するように構成されることを特徴とする
請求項２６〜３１のいずれか１項に記載のネットワーク機器。
【発明の詳細な説明】
【技術分野】
【０００１】
本願の実施例は通信分野に関し、且つより具体的に、データ伝送方法、端末装置及びネットワーク機器に関する。
【背景技術】
【０００２】
キャリアアグリゲーションの場合、パケットデータコンバージェンスプロトコル（ＰＤＣＰ：Ｐａｃｋｅｔ  Ｄａｔａ  Ｃｏｎｖｅｒｇｅｎｃｅ  Ｐｒｏｔｏｃｏｌ）プロトコル層の送信側は、データコピー機能をサポートし、つまり、１つのＰＤＣＰプロトコルデータユニット（ＰＤＵ：Ｐｒｏｔｏｃｏｌ  Ｄａｔａ  Ｕｎｉｔ）を二つ（複数であり得る）にコピーすることにより、データ伝送の信頼性を向上させることができる。従来技術において、データコピー伝送方式を直接使用してしまうため、リソース利用率が極めて低い。
【発明の概要】
【発明が解決しようとする課題】
【０００３】
これに鑑みて、本願の実施例はリソース利用率とデータ伝送の信頼性との関係のバランスを取ることに役立つデータ伝送方法、端末装置及びネットワーク機器を提供する。
【課題を解決するための手段】
【０００４】
第１態様に係るデータ伝送方法であって、第１端末装置は、パケットデータコンバージェンスプロトコル（ＰＤＣＰ）のプロトコルデータユニット（ＰＤＵ）の伝送方式を確定し、前記伝送方式が、データコピー伝送方式又は単一リンク伝送方式を含むことと、該第１端末装置は、該ＰＤＣＰ  ＰＤＵの伝送方式に基づき、第２端末装置又はネットワーク機器へ該ＰＤＣＰ  ＰＤＵを送信することと、を含む。
【０００５】
データの伝送方式を動的に切り替えることにより、リソース利用率とデータ伝送の信頼性とのバランスを効果的に取ることができる。
【０００６】
好ましくは、本願の実施例の考案はアップリンクデータ伝送に適用されてもよく、端末装置対端末装置（Ｄ２Ｄ：Ｄｅｖｉｃｅ−ｔｏ−Ｄｅｖｉｃｅ）の通信に適用されてもよい。
【０００７】
データコピー伝送方式とは、ＰＤＣＰがデータコピー伝送機能を利用して、１つのＰＤＣＰ  ＰＤＵを複数分にコピーし、それぞれ複数のリンクを介して伝送することを意味する。それに対して、単一リンク伝送方式とは、ＰＤＣＰがデータコピー伝送機能を利用せず、つまり、ＰＤＣＰ  ＰＤＵがコピーデータではなく、１つのリンクを介して１回伝送されてもよく、１つのＰＤＣＰ  ＰＤＵを複数の部分に分割して複数のリンクを介して伝送してもよいことを意味する。つまり、ＰＤＣＰ  ＰＤＵの伝送方式を確定することとはＰＤＣＰがデータコピー伝送機能を利用するかどうかを意味する。
【０００８】
好ましくは、ここでＰＤＣＰ  ＰＤＵはデータ伝送の信頼性への要求が高いいくつかのサービスであってもよい。つまり、これらのサービスのＰＤＣＰ  ＰＤＵを伝送する必要があるとき、該ＰＤＣＰ  ＰＤＵをコピーする必要があるかどうかを確定する必要がある。データ伝送への要求が低い他のＰＤＣＰ  ＰＤＵは該伝送方式を確定せず、単一リンク伝送方式を直接用いて伝送されてもよい。
【０００９】
可能な実現方式では、該第１端末装置がパケットデータコンバージェンスプロトコル（ＰＤＣＰ）のプロトコルデータユニット（ＰＤＵ）の伝送方式を確定することは、該第１端末装置が少なくとも１つのリンクのチャネル品質情報に基づき、該ＰＤＣＰ  ＰＤＵの伝送方式を確定することを含む。
【００１０】
ここでリンクのチャネル品質情報は、チャネル品質識別子（ＣＱＩ：Ｃｈａｎｎｅｌ  ｑｕａｌｉｔｙ  ｉｎｄｉｃａｔｏｒ）、一定時間帯内の再伝送スケジューリング回数、一定時間帯内の連続初回伝送スケジューリング回数又は変調・符号化方式（ＭＣＳ：Ｍｏｄｕｌａｔｉｏｎ  ａｎｄ  Ｃｏｄｉｎｇ  Ｓｃｈｅｍｅ）等の情報で表すことができる。
【００１１】
リンクのチャネル品質を伝送方式に関連付けることにより、更にリソース利用率とデータ伝送の信頼性との関係のバランスを取ることができる。
【００１２】
可能な実現方式では、該少なくとも１つのリンクのチャネル品質情報が該少なくとも１つのリンクの第１時間帯内の再伝送スケジューリング回数、該少なくとも１つのリンクの第２時間帯内の連続初回伝送スケジューリング回数又は該少なくとも１つのリンクの変調・符号化方式（ＭＣＳ）値を含み、該第１端末装置が少なくとも１つのリンクのチャネル品質情報に基づき、該ＰＤＣＰ  ＰＤＵの伝送方式を確定することは、該第１端末装置が該少なくとも１つのリンクの第１時間帯内の再伝送スケジューリング回数、該少なくとも１つのリンクの第２時間帯内の連続初回伝送スケジューリング回数又は該少なくとも１つのリンクの変調・符号化方式（ＭＣＳ）値に基づき、該ＰＤＣＰ  ＰＤＵの伝送方式を確定することを含む。
【００１３】
可能な実現方式では、該第１端末装置が該少なくとも１つのリンクの第１時間帯内の再伝送スケジューリング回数に基づき、該ＰＤＣＰ  ＰＤＵの伝送方式を確定することは、該少なくとも１つのリンクのうちのいずれか１つのリンクの該再伝送スケジューリング回数が第１閾値以下である場合、該第１端末装置が該ＰＤＣＰ  ＰＤＵの伝送方式を単一リンク伝送方式として確定し、又は該少なくとも１つのリンクのうちの各リンクの該再伝送スケジューリング回数がいずれも該第１閾値より大きい場合、該第１端末装置が該ＰＤＣＰ  ＰＤＵの伝送方式をデータコピー伝送方式として確定することを含む。
【００１４】
好ましくは、該第１端末装置が該少なくとも１つのリンクの第１時間帯内の再伝送スケジューリング回数に基づき、該ＰＤＣＰ  ＰＤＵの伝送方式を確定することは、該少なくとも１つのリンクのうちの各リンクの該再伝送スケジューリング回数がいずれも第１範囲内にある場合、該第１端末装置が該ＰＤＣＰ  ＰＤＵの伝送方式をデータコピー伝送方式として確定することを含む。
【００１５】
第１閾値に基づくルール及び第１範囲に基づくルールは独立して利用されてもよく、同時に利用されてもよいが、一定の優先度を有し、例えば、第１閾値に基づくルールの優先度が第１範囲に基づくルールより高いものであってもよい。
【００１６】
第１閾値及び第１範囲は、一定時間内の再伝送スケジューリング回数のリンクのチャネル品質に対する影響によって確定されてもよい。
【００１７】
可能な実現方式では、該第１端末装置が該各リンクの第２時間帯内の連続初回伝送スケジューリング回数に基づき、該ＰＤＣＰ  ＰＤＵの伝送方式を確定することは、該少なくとも１つのリンクのうちのいずれか１つのリンクの該連続初回伝送スケジューリング回数が第２閾値以上である場合、該第１端末装置が該ＰＤＣＰ  ＰＤＵの伝送方式を単一リンク伝送方式として確定し、又は該少なくとも１つのリンクのうちの各リンクの該連続初回伝送スケジューリング回数がいずれも該第２閾値より小さい場合、該第１端末装置が該ＰＤＣＰ  ＰＤＵの伝送方式をデータコピー伝送方式として確定することを含む。
【００１８】
同様に、第２閾値は、一定時間内の連続初回伝送スケジューリング回数のリンクのチャネル品質に対する影響によって確定されてもよい。
【００１９】
可能な実現方式では、該第１端末装置が該各リンクのＭＣＳ値に基づき、該ＰＤＣＰ  ＰＤＵの伝送方式を確定することは、該少なくとも１つのリンクの該ＭＣＳ値が第３閾値以上である場合、該第１端末装置が該ＰＤＣＰ  ＰＤＵの伝送方式を単一リンク伝送方式として確定し、又は該少なくとも１つのリンクのうちの各リンクの該ＭＣＳ値がいずれも該第３閾値より小さい場合、該第１端末装置が該ＰＤＣＰ  ＰＤＵの伝送方式をデータコピー伝送方式として確定することを含む。
【００２０】
同様に、第３閾値は該リンクの変調・符号化方式値のリンクのチャネル品質に対する影響によって確定されてもよい。
【００２１】
また、端末装置は、１つのリンクのチャネル品質が良いと判断するとき、単一リンク伝送方式を直接選択してもよく、２つ又はそれ以上のリンクのチャネル品質が悪いと判断するとき、データコピー伝送方式を選択してもよい。更にすべてのリンクのチャネル品質を判断した後、確定してもよい。
【００２２】
可能な実現方式では、該方法は、更に、該第１端末装置が該第２端末装置又はネットワーク機器から送信された、該ＰＤＣＰ  ＰＤＵの伝送方式を示すための第１指示情報を受信することを含み、該第１端末装置がパケットデータコンバージェンスプロトコル（ＰＤＣＰ）のプロトコルデータユニット（ＰＤＵ）の伝送方式を確定することは、該第１端末装置が該第１指示情報に基づき、該ＰＤＣＰ  ＰＤＵの伝送方式を確定することを含む。
【００２３】
好ましくは、端末装置自身が上記ルールに従って伝送方式を確定したが、ある時間に該伝送方式を直接指示する指示情報を受信し、且つ直接指示する伝送方式は、ルールに従って確定した伝送方式と異なる場合、端末装置は、該直接指示する伝送方式でルールに従って確定した伝送方式を上書きすることができる。
【００２４】
可能な実現方式では、該方法は、更に、第１端末装置が該ＰＤＣＰ  ＰＤＵを送信する前に、該第１端末装置が該ＰＤＣＰ  ＰＤＵを伝送するためのリンクを確定することを含む。
【００２５】
可能な実現方式では、該第１端末装置が該ＰＤＣＰ  ＰＤＵを伝送するためのリンクを確定することは、該ＰＤＣＰ  ＰＤＵの伝送方式が単一リンク伝送方式である場合、該第１端末装置が該複数のリンクのうちのチャネル品質の最も良いリンクを、該ＰＤＣＰ  ＰＤＵを伝送するためのリンクとして確定し、又は該ＰＤＣＰ  ＰＤＵの伝送方式がデータコピー伝送方式である場合、該第１端末装置が該複数のリンクのうちの各リンクのチャネル品質の優先度の降順に基づいて、該複数のリンクのうちの複数のリンクを、該ＰＤＣＰ  ＰＤＵのコピーデータを伝送するためのリンクとして確定することを含む。
【００２６】
単一リンク伝送方式として確定する場合、第１端末装置は更に１つのリンクを任意に選択して該ＰＤＣＰ  ＰＤＵを伝送することができる。データコピー伝送方式として確定する場合、第１端末装置は複数のリンクを任意に選択して該ＰＤＣＰ  ＰＤＵを伝送することもできる。
【００２７】
可能な実現方式では、該方法は、更に、該第１端末装置が該第２端末装置又はネットワーク機器から送信された、該ＰＤＣＰ  ＰＤＵを伝送するためのリンクを示す第２指示情報を受信することを含み、該第１端末装置が該ＰＤＣＰ  ＰＤＵを伝送するためのリンクを確定することは、該第１端末装置が該第２指示情報に基づき、該ＰＤＣＰ  ＰＤＵを伝送するためのリンクを確定することを含む。
【００２８】
ネットワーク機器は端末装置にＰＤＣＰ  ＰＤＵを伝送するリンクを指示することができ、端末装置はネットワーク機器に指示されるリンクを用いてもよく、その状況に応じてＰＤＣＰ  ＰＤＵを伝送するリンクを選択してもよい。
【００２９】
端末装置がリンクの一部を選択して該ＰＤＣＰ  ＰＤＵを伝送する場合、他のリンクを用いて他のＰＤＣＰ  ＰＤＵを伝送してもよい。
【００３０】
第２態様に係るデータ伝送方法であって、ネットワーク機器は、第１端末装置のパケットデータコンバージェンスプロトコル（ＰＤＣＰ）のプロトコルデータユニット（ＰＤＵ）の伝送方式を確定し、前記伝送方式が、データコピー伝送方式又は単一リンク伝送方式を含むことと、該ネットワーク機器は、該ＰＤＣＰ  ＰＤＵの伝送方式を示すための第１指示情報を該第１端末装置に送信することと、を含む。
【００３１】
可能な実現方式では、該ネットワーク機器が第１端末装置のパケットデータコンバージェンスプロトコル（ＰＤＣＰ）のプロトコルデータユニット（ＰＤＵ）の伝送方式を確定することは、該ネットワーク機器が少なくとも１つのリンクのチャネル品質情報に基づき、該ＰＤＣＰ  ＰＤＵの伝送方式を確定することを含む。
【００３２】
可能な実現方式では、該少なくとも１つのリンクのチャネル品質情報が該少なくとも１つのリンクの第１時間帯内の再伝送スケジューリング回数、該少なくとも１つのリンクの第２時間帯内の連続初回伝送スケジューリング回数又は該各リンクの変調・符号化方式（ＭＣＳ）値を含み、該ネットワーク機器が少なくとも１つのリンクのチャネル品質情報に基づき、該ＰＤＣＰ  ＰＤＵの伝送方式を確定することは、該ネットワーク機器が該少なくとも１つのリンクの第１時間帯内の再伝送スケジューリング回数、該各リンクの第２時間帯内の連続初回伝送スケジューリング回数又は該各リンクの変調・符号化方式（ＭＣＳ）値に基づき、該ＰＤＣＰ  ＰＤＵの伝送方式を確定することを含む。
【００３３】
可能な実現方式では、該ネットワーク機器が該少なくとも１つのリンクの第１時間帯内の再伝送スケジューリング回数に基づき、該ＰＤＣＰ  ＰＤＵの伝送方式を確定することは、該少なくとも１つのリンクのうちのいずれか１つのリンクの該再伝送スケジューリング回数が第１閾値以下である場合、該ネットワーク機器が該ＰＤＣＰ  ＰＤＵの伝送方式を単一リンク伝送方式として確定すること、又は該少なくとも１つのリンクのうちの各リンクの該再伝送スケジューリング回数がいずれも該第１閾値より大きい場合、該第２端末装置又はネットワーク機器が該ＰＤＣＰ  ＰＤＵの伝送方式をデータコピー伝送方式として確定するこ、を含む。
【００３４】
可能な実現方式では、該ネットワーク機器が該少なくとも１つのリンクの第２時間帯内の連続初回伝送スケジューリング回数に基づき、該ＰＤＣＰ  ＰＤＵの伝送方式を確定することは、該少なくとも１つのリンクのうちのいずれか１つのリンクの該連続初回伝送スケジューリング回数が第２閾値以上である場合、該ネットワーク機器が該ＰＤＣＰ  ＰＤＵの伝送方式を単一リンク伝送方式として確定すること、又は該少なくとも１つのリンクのうちの各リンクの該連続初回伝送スケジューリング回数がいずれも該第２閾値より小さい場合、該ネットワーク機器が該ＰＤＣＰ  ＰＤＵの伝送方式をデータコピー伝送方式として確定すること、を含む。
【００３５】
可能な実現方式では、該ネットワーク機器が該少なくとも１つのリンクのＭＣＳ値に基づき、該ＰＤＣＰ  ＰＤＵの伝送方式を確定することは、該少なくとも１つのリンクのうちのいずれか１つのリンクの該ＭＣＳ値が第３閾値以上である場合、該ネットワーク機器が該ＰＤＣＰ  ＰＤＵの伝送方式を単一リンク伝送方式として確定すること、又は、該少なくとも１つのリンクのうちの各リンクの該ＭＣＳ値がいずれも該第３閾値より小さい場合、該ネットワーク機器が該ＰＤＣＰ  ＰＤＵの伝送方式をデータコピー伝送方式として確定すること、を含む。
【００３６】
可能な実現方式では、該少なくとも１つのリンクが複数のリンクであり、該方法は、更に、該ＰＤＣＰ  ＰＤＵの伝送方式が単一リンク伝送方式である場合、該ネットワーク機器が該複数のリンクのうちのチャネル品質の最も良いリンクを、該ＰＤＣＰ  ＰＤＵを伝送するためのリンクとして確定し、又は該ＰＤＣＰ  ＰＤＵの伝送方式がデータコピー伝送方式である場合、該ネットワーク機器が該複数のリンクのうちの各リンクのチャネル品質の優先度の降順に基づいて、該複数のリンクのうちの複数のリンクを、該ＰＤＣＰ  ＰＤＵを伝送するためのリンクとして確定することと、該ネットワーク機器が該ＰＤＣＰ  ＰＤＵを伝送するための該リンクを示すための第２指示情報を該第１端末装置に送信することと、を含む。
【００３７】
第３態様に係る端末装置であって、上記第１態様又は第１態様の任意の可能な実現方式における方法を実行することに用いられる。具体的に、該端末装置は上記第１態様又は第１態様の任意の可能な実現方式における方法を実行するためのユニットを備える。
【００３８】
第４態様に係るネットワーク機器であって、上記第２態様又は第１態様の任意の可能な実現方式における方法を実行することに用いられる。具体的に、該ネットワーク機器は上記第２態様又は第２態様の任意の可能な実現方式における方法を実行するためのユニットを備える。
【００３９】
第５態様に係る端末装置であって、メモリ、プロセッサ、入力インターフェース及び出力インターフェースを備える。メモリ、プロセッサ、入力インターフェース及び出力インターフェースがバスシステムによって接続される。該メモリが命令を記憶することに用いられ、該プロセッサが該メモリに記憶される命令を実行することに用いられ、上記第１態様又は第１態様の任意の可能な実現方式における方法を実行することに用いられる。
【００４０】
第６態様に係るネットワーク機器であって、メモリ、プロセッサ、入力インターフェース及び出力インターフェースを備える。メモリ、プロセッサ、入力インターフェース及び出力インターフェースがバスシステムによって接続される。該メモリが命令を記憶することに用いられ、該プロセッサが該メモリに記憶される命令を実行することに用いられ、上記第２態様又は第２態様の任意の可能な実現方式における方法を実行することに用いられる。
【００４１】
第７態様に係るコンピュータ記憶媒体であって、上記第１態様又は第１態様の任意の可能な実現方式における方法、又は上記第２態様又は第２態様の任意の可能な実現方式における方法を実行するために用いたコンピュータソフトウェア命令を記憶することに用いられ、前記命令は上記態様を実行するために設計したプログラムを含む。
【００４２】
本願のこれらの態様又は他の態様は以下の実施例の説明から明らかになる。
【図面の簡単な説明】
【００４３】
【図１】図１は本願の実施例の１つの応用シーンの模式図である。
【図２】図２はキャリアアグリゲーションシーンにおけるデータコピー伝送のプロトコルアーキテクチャ図である。
【図３】図３は本願の実施例のデータ伝送方法の模式的なブロック図である。
【図４】図４は本願の実施例のデータ伝送方法の他の模式的なブロック図である。
【図５】図５は本願の実施例のデータを伝送する端末装置の模式的なブロック図である。
【図６】図６は本願の実施例のデータを伝送するネットワーク機器の模式的なブロック図である。
【図７】図７は本願の実施例のデータを伝送する端末装置の他の模式的なブロック図である。
【図８】図８は本願の実施例のデータを伝送するネットワーク機器の他の模式的なブロック図である。
【発明を実施するための形態】
【００４４】
以下、本願の実施例の図面を参照しながら本願の実施例の技術案を明確且つ完全に説明する。
【００４５】
本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム等に適用されてもよいと理解すべきである。
【００４６】
特に、本願の実施例の技術案は非直交多元アクセス技術に基づく様々な通信システム、例えば疎コード多重アクセス（ＳＣＭＡ：Ｓｐａｒｓｅ  Ｃｏｄｅ  Ｍｕｌｔｉｐｌｅ  Ａｃｃｅｓｓ）システム、低密度シグネチャ（ＬＤＳ：Ｌｏｗ  Ｄｅｎｓｉｔｙ  Ｓｉｇｎａｔｕｒｅ）システム等に適用されてもよく、無論、通信分野ではＳＣＭＡシステム及びＬＤＳシステムが他の名称と称されてもよく、更に、本願の実施例の技術案は非直交多元アクセス技術を用いたマルチキャリア伝送システム、例えば非直交多元アクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルタバンクマルチキャリア（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システム等に適用されてもよい。
【００４７】
本願の実施例における端末装置はユーザー装置（ＵＥ：Ｕｓｅｒ  Ｅｑｕｉｐｍｅｎｔ）、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブルデバイス、将来の５Ｇネットワークにおける端末装置又は将来発展する公衆陸上移動網（ＰＬＭＮ：Ｐｕｂｌｉｃ  Ｌａｎｄ  Ｍｏｂｉｌｅ  Ｎｅｔｗｏｒｋ）における端末装置等であってもよく、本願の実施例は制限しない。
【００４８】
本願の実施例におけるネットワーク機器は端末装置と通信するための機器であってもよく、該ネットワーク機器はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  ＮｏｄｅＢ）であってもよく、更にクラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線コントローラであってもよく、又は、該ネットワーク機器は中継所、アクセスポイント、車載装置、ウェアラブルデバイス及び将来の５Ｇネットワークにおけるネットワーク機器又は将来発展するＰＬＭＮネットワークにおけるネットワーク機器等であってもよく、本願の実施例は制限しない。
【００４９】
図１は本願の実施例の１つの応用シーンの模式図である。図１における通信システムは端末装置１０及びネットワーク機器２０を備えてもよい。ネットワーク機器２０は端末装置１０に通信サービスを提供してコアネットワークにアクセスすることに用いられ、端末装置１０がネットワーク機器２０から送信された同期信号、放送信号等を検索することによりネットワークにアクセスし、それによりネットワークと通信する。図１に示される矢印が端末装置１０とネットワーク機器２０とのセルラーリンクを介して行われるアップリンク／ダウンリンク伝送を示してもよい。
【００５０】
キャリアアグリゲーションシーンにおいて、ＰＤＣＰはデータコピー機能をサポートすることができ、つまり、ＰＤＣＰのコピーデータ機能を利用して、コピーしたデータを２つ又は複数の論理チャネルに対応し、且つ最終的にコピーした複数の同じＰＤＣＰ  ＰＤＵが異なる物理層アグリゲーションキャリアにおいて伝送できるように確保し、それにより周波数ダイバーシティ利得を実現してデータ伝送の信頼性を向上させる。
【００５１】
理解しやすくするために、以下に図２を参照しながらどのようにコピーデータを異なる物理的キャリアにスケジューリングするかを簡単に説明する。図２に示すように、ＰＤＣＰ層が分割搬送コピー機能を有し、ＰＤＣＰ  ＳＤＵ１のデータプロセスをＰＤＣＰ  ＰＤＵ１及びＰＤＣＰ  ＰＤＵ２にコピー・カプセル化し、ＰＤＣＰ  ＰＤＵ１及びＰＤＣＰ  ＰＤＵ２が同じ内容を有し、つまり、搬送したデータｐａｙｌｏａｄ及びパケットヘッダｈｅａｄｅｒがいずれも同じである。それぞれＰＤＣＰ  ＰＤＵ１及びＰＤＣＰ  ＰＤＵ２を異なる無線リンク制御（ＲＬＣ：Ｒａｄｉｏ  Ｌｉｎｋ  Ｃｏｎｔｒｏｌ）エンティティにマッピングし、ＲＬＣエンティティがＰＤＣＰ  ＰＤＵ１及びＰＤＣＰ  ＰＤＵ２を異なる論理チャネル（論理チャネル１及び論理チャネル２）に追加し、メディアアクセス制御（ＭＡＣ：Ｍｅｄｉａ  Ａｃｃｅｓｓ  Ｃｏｎｔｒｏｌ）は、どの論理チャネルが同じＰＤＣＰ  ＰＤＵのコピーデータを把握した後、これらのコピーデータを異なるハイブリッド自動再伝送要求ＨＡＲＱエンティティによって異なるキャリアにおいて伝送し、例えば、論理チャネル１に搬送したコピーデータをＨＡＲＱエンティティ１によって物理的キャリア１において伝送し、論理チャネル２に搬送したコピーデータをＨＡＲＱエンティティ２によって物理的キャリア２において伝送する。
【００５２】
ＰＤＣＰ層コピーデータの伝送はダイバーシティ利得を利用してデータ伝送の信頼性を効果的に向上させることができるが、該方法に起因してシステムリソース利用率が極めて低く、つまり、異なるリソースを用いて同じ内容を伝送する必要があるという明らかな欠点がある。
【００５３】
図３は本願の実施例のデータ伝送方法１００の模式的なブロック図である。図３に示すように、該方法１００は、
第１端末装置は、パケットデータコンバージェンスプロトコル（ＰＤＣＰ）のプロトコルデータユニット（ＰＤＵ）の伝送方式を確定し、前記伝送方式が、データコピー伝送方式又は単一リンク伝送方式を含むＳ１１０と、
該第１端末装置は、該ＰＤＣＰ  ＰＤＵの伝送方式に基づき、第２端末装置又はネットワーク機器へ該ＰＤＣＰ  ＰＤＵを送信するＳ１２０と、を含む。
【００５４】
なお、本願の実施例は端末装置対ネットワーク機器の通信に適用されてもよく、端末装置対端末装置の通信に適用されてもよい。
【００５５】
具体的に、端末装置はＰＤＣＰ  ＰＤＵの伝送方式、つまり、具体的にＰＤＣＰにおいてデータコピー機能を利用するかどうかを柔軟に確定することができる。データコピー伝送方式は、端末装置のＰＤＣＰ層が１つのＰＤＣＰ  ＰＤＵを複数分にコピーして、ＭＡＣ層に渡し、ＭＡＣ層がＰＤＣＰ  ＰＤＵのコピーデータをそれぞれ複数のリンクすなわち図２における物理層キャリアにスケジューリングして伝送することであってもよく、単一リンク伝送方式とは、端末装置のＰＤＣＰ層がＰＤＣＰ  ＰＤＵをコピーせず、ＭＡＣ層に示し、ＭＡＣ層が該ＰＤＣＰ  ＰＤＵを１つ又は複数のリンクにスケジューリングして伝送し、端末装置がどの伝送方式であるかを確定した後、確定された伝送方式で該ＰＤＣＰ  ＰＤＵを伝送してもよいことを意味してもよい。例えば、端末装置が伝送方式を単一リンク伝送方式として確定した場合、端末装置は１つのリンクを用いて該ＰＤＣＰ  ＰＤＵを伝送することができ、端末装置が伝送方式をデータコピー伝送方式として確定した場合、端末装置は複数のリンクを選択して該ＰＤＣＰ  ＰＤＵのコピーデータを伝送することができる。
【００５６】
ここでＰＤＣＰ  ＰＤＵはデータ伝送の信頼性への要求が高いいくつかのサービスであってもよいと理解すべきである。つまり、これらのサービスのＰＤＣＰ  ＰＤＵを伝送する必要があるとき、該ＰＤＣＰ  ＰＤＵをコピーする必要があるかどうかを確定する必要がある。データ伝送への要求が低い他のＰＤＣＰ  ＰＤＵは該伝送方式を確定せず、単一リンク伝送方式を直接用いて伝送されてもよい。
【００５７】
従って、本願の実施例のデータ伝送方法は、リソース利用率とデータ伝送の信頼性のバランスを取ることに役立つ。
【００５８】
好ましくは、本願の実施例において、該第１端末装置がパケットデータコンバージェンスプロトコル（ＰＤＣＰ）のプロトコルデータユニット（ＰＤＵ）の伝送方式を確定することは、該第１端末装置が少なくとも１つのリンクのチャネル品質情報に基づき、該ＰＤＣＰ  ＰＤＵの伝送方式を確定することを含む。
【００５９】
ここで少なくとも１つのリンクは端末装置のすべてのリンクに対するものであってもよく、端末装置のリンクの一部に対するものであってもよいと理解すべきである。例えば、１つの端末装置が５つのリンクを備える場合、該端末装置は該５つのリンクのそれぞれのチャネル品質情報に基づき、該ＰＤＣＰ  ＰＤＵの伝送方式を確定することができる。端末装置は更に該５つのリンクのうちのリンクの一部のそれぞれのチャネル品質情報に基づき、該ＰＤＣＰ  ＰＤＵの伝送方式を確定することができる。
【００６０】
該少なくとも１つのリンクのチャネル品質情報はネットワーク機器が端末装置に通知したものであってもよいと更に理解すべきである。例えば、ネットワーク機器は各リンクにおけるアップリンクチャネル推定状況を取得した後、端末装置へフィードバックすることができ、又はネットワーク機器が各リンクにおけるアップリンクリソース使用状況を取得した後、端末装置にフィードバックすることもできる。ここでリンクのチャネル品質情報は、チャネル品質識別子、一定時間帯内の再伝送スケジューリング回数、一定時間帯内の連続初回伝送スケジューリング回数又は変調・符号化方式等によって表されてもよく、本願の実施例はそれらに限らない。
【００６１】
好ましくは、本願の実施例において、該第１端末装置が該少なくとも１つのリンクの第１時間帯内の再伝送スケジューリング回数に基づき、該ＰＤＣＰ  ＰＤＵの伝送方式を確定することは、該少なくとも１つのリンクのうちのいずれか１つのリンクの該再伝送スケジューリング回数が第１閾値以下である場合、該第１端末装置が該ＰＤＣＰ  ＰＤＵの伝送方式を単一リンク伝送方式として確定し、又は該少なくとも１つのリンクのうちの各リンクの該再伝送スケジューリング回数がいずれも該第１閾値より大きい場合、該第１端末装置が該ＰＤＣＰ  ＰＤＵの伝送方式をデータコピー伝送方式として確定することを含む。
【００６２】
好ましくは、該第１端末装置が該少なくとも１つのリンクの第１時間帯内の再伝送スケジューリング回数に基づき、該ＰＤＣＰ  ＰＤＵの伝送方式を確定することは、該少なくとも１つのリンクのうちの各リンクの該再伝送スケジューリング回数がいずれも第１範囲内にある場合、該第１端末装置が該ＰＤＣＰ  ＰＤＵの伝送方式をデータコピー伝送方式として確定することを含む。
【００６３】
具体的に、無線リソース制御（ＲＲＣ：Ｒａｄｉｏ  Ｒｅｓｏｕｒｃｅ  Ｃｏｎｔｒｏｌ）によってルールを設定することができ、該ルールは各リンクの再伝送スケジューリング回数と１つの閾値との異なるサイズの関係が異なる伝送方式に対応することであってもよい。異なるリンクにおける再伝送スケジューリング回数を統計して、再伝送スケジューリング回数をチャネル品質に関連付けることができる。例えば、再伝送スケジューリング回数が一定時間帯内に５回より小さいとき、明らかにチャネル品質が良い場合、該ルールの閾値を５に設定することができる。端末装置は再伝送スケジューリング回数を定時に統計することができ、例えば、端末装置は１００ｍｓおきに再伝送スケジューリング回数を統計することができ、そうすると端末装置は伝送すべきＰＤＣＰ  ＰＤＵがあるとき、前の１００ｍｓ以内の再伝送スケジューリング回数が閾値内であるかどうかによって、伝送方式を選択することができ、閾値内にある場合、少なくとも該リンクにおけるチャネル品質が良く、データ伝送の信頼性も高いことが証明され、そうすると端末装置は単一リンク伝送方式を選択することができ、端末装置は１つのリンクにおける再伝送回数が閾値より大きいことによって、データコピー伝送方式を用いると確定でき、端末装置は更に複数のリンクにおける再伝送回数がいずれも閾値より大きいことによって、データコピー伝送方式を用いることを確定できる。端末装置がいくつのリンクにおける再伝送スケジューリング回数と閾値との関係を判断するかは、端末装置により実現されてもよく、本願の実施例はそれらに限らない。
【００６４】
端末装置は更に他のルールに従って、つまり、端末装置は少なくとも１つのリンクの再伝送スケジューリング回数が１つの範囲内にあると確定する場合、伝送対象のＰＤＣＰ  ＰＤＵの伝送方式をデータコピー伝送方式として確定することができる。例えば、該範囲が５回〜１０回である場合、端末装置は複数のリンクの再伝送スケジューリング回数が５回〜１０回であるかどうかを判断することができ、複数のリンクの再伝送スケジューリング回数がいずれも５回〜１０回であると判断する場合、伝送方式をデータコピー伝送方式として確定することができる。
【００６５】
第１範囲に基づく考案及び第１閾値に基づく考案を端末装置に同時に設定してもよく、つまり、伝送方式の判断ルールが２つあってもよいが、この２つの考案は優先度があると理解すべきである。例えば、第１閾値に基づくルールの優先度が第１範囲に基づくルールより高い場合、端末装置に伝送対象のＰＤＣＰ  ＰＤＵがあるとき、まず１つのリンクの再伝送スケジューリング回数が第１閾値より大きいかどうかを判断してもよく、第１閾値より小さい場合、該ＰＤＣＰ  ＰＤＵの伝送方式が単一リンク伝送方式であると直接判断し、端末装置が２つのリンクの再伝送スケジューリング回数がいずれも第１閾値より大きいと判断した場合、端末装置は該ＰＤＣＰ  ＰＤＵの伝送方式がデータコピー伝送方式であると直接確定でき、又は、端末装置は該２つのリンクの再伝送スケジューリング回数がいずれも第１範囲内にあるかどうかを判断し、第１範囲内にある場合、端末装置は該ＰＤＣＰ  ＰＤＵの伝送方式がデータコピー伝送方式であると確定できる。
【００６６】
再伝送スケジューリング回数が前の１つの時間帯内の再伝送スケジューリング回数であってもよく、前の複数の時間帯内の再伝送スケジューリング回数の平均値等であってもよく、本願の実施例は再伝送スケジューリング回数の取得方式を制限しないと更に理解すべきである。
【００６７】
以上は例を挙げて各リンクの再伝送スケジューリング回数に基づいて設定したルールを説明したが、本願の実施例はそれに限らないと更に理解すべきである。
【００６８】
好ましくは、本願の実施例において、該第１端末装置が該各リンクの第２時間帯内の連続初回伝送スケジューリング回数に基づき、該ＰＤＣＰ  ＰＤＵの伝送方式を確定することは、該少なくとも１つのリンクのうちのいずれか１つのリンクの該連続初回伝送スケジューリング回数が第２閾値以上である場合、該第１端末装置が該ＰＤＣＰ  ＰＤＵの伝送方式を単一リンク伝送方式として確定し、又は該少なくとも１つのリンクのうちの各リンクの該連続初回伝送スケジューリング回数がいずれも該第２閾値より小さい場合、該第１端末装置が該ＰＤＣＰ  ＰＤＵの伝送方式をデータコピー伝送方式として確定することを含む。
【００６９】
具体的に、ＲＲＣによってルールを設定することができ、該ルールは各リンクの連続初回伝送スケジューリング回数と１つの閾値との異なるサイズの関係が異なる伝送方式に対応することであってもよい。異なるリンクにおける連続初回伝送スケジューリング回数を統計して、連続初回伝送スケジューリング回数をチャネル品質に関連付けることができる。例えば、連続再伝送スケジューリング回数が一定時間帯内に５回より大きいとき、明らかにチャネル品質が良い場合、該ルールの閾値を５に設定することができる。端末装置は、連続再伝送スケジューリング回数を定時に統計することができ、例えば、端末装置は１００ｍｓおきに再伝送スケジューリング回数を統計することができ、そうすると端末装置は伝送すべきＰＤＣＰ  ＰＤＵがあるとき、最初の１００ｍｓ以内の連続再伝送スケジューリング回数が閾値外にあるかどうかによって、伝送方式を用いてもよく、閾値外にある場合、少なくとも該リンクにおけるチャネル品質がより良く、データ伝送の信頼性もより高いと証明され、そうすると端末装置は単一リンク伝送方式を選択することができ、端末装置は１つのリンクにおける連続再伝送回数が閾値より小さいことによって、データコピー伝送方式を用いることが確定でき、端末装置は更に複数のリンクにおける連続再伝送スケジューリング回数がいずれも閾値より小さいことによって、データコピー伝送方式を用いることが確定できる。端末装置がいくつのリンクにおける連続再伝送スケジューリング回数と閾値との関係を判断するかは、端末装置により実現されてもよく、本願の実施例はそれらに限らない。
【００７０】
連続再伝送スケジューリング回数が前の１つの時間帯内の連続再伝送スケジューリング回数であってもよく、前の複数の時間帯内の連続再伝送スケジューリング回数の平均値等であってもよく、本願の実施例は連続再伝送スケジューリング回数の取得方式を制限しないと理解すべきである。
【００７１】
連続再伝送スケジューリング回数に基づくルールは再伝送スケジューリング回数に基づくルールに類似し、簡潔のため、ここで詳細な説明は省略すると更に理解すべきである。
【００７２】
好ましくは、本願の実施例において、該第１端末装置が該各リンクのＭＣＳ値に基づき、該ＰＤＣＰ  ＰＤＵの伝送方式を確定することは、該少なくとも１つのリンクの該ＭＣＳ値が第３閾値以上である場合、該第１端末装置が該ＰＤＣＰ  ＰＤＵの伝送方式を単一リンク伝送方式として確定し、又は該少なくとも１つのリンクのうちの各リンクの該ＭＣＳ値がいずれも該第３閾値より小さい場合、該第１端末装置が該ＰＤＣＰ  ＰＤＵの伝送方式をデータコピー伝送方式として確定することを含む。
【００７３】
具体的に、ＲＲＣによってルールを設定することができ、該ルールは各リンクのＭＣＳ値と閾値との異なる大きさの関係が異なる伝送方式に対応することであってもよい。異なるリンクにおけるＭＣＳ値をチャネル品質に関連付けることができる。例えば、ＭＣＳがある閾値より大きいとき、明らかにチャネル品質が良い場合、該ルールの閾値をこの時のＭＣＳ値に設定してもよい。端末装置は伝送すべきＰＤＣＰ  ＰＤＵがあるとき、ネットワーク機器から送信されたダウンリンク制御情報におけるＭＣＳ値に基づいて該ルールにおける閾値より大きいかどうかを確定することができ、閾値より大きい場合、少なくとも該リンクにおけるチャネル品質がより良く、データ伝送の信頼性もより高いと証明され、そうすると端末装置は単一リンク伝送方式を選択してもよく、端末装置は１つのリンクにおけるＭＣＳ値が閾値より小さいことによって、データコピー伝送方式を用いると確定でき、端末装置は更に複数のリンクにおけるＭＣＳ値がいずれも閾値より小さいことによって、データコピー伝送方式を用いると確定できる。端末装置がいくつのリンクにおけるＭＣＳ値と閾値との関係を判断するかは、端末装置により実現されてもよく、本願の実施例はそれらに限らない。
【００７４】
ＭＣＳ値に基づくルールは再伝送スケジューリング回数に基づくルールに類似し、簡潔のため、ここで詳細な説明は省略すると理解すべきである。
【００７５】
以上は再伝送スケジューリング回数、連続初回伝送スケジューリング回数及びＭＣＳ値によってＰＤＣＰ  ＰＤＵの伝送方式を確定する。上記これらのルールは独立して実現されてもよく、組み合わせて実現されてもよく、且つチャネル品質に関連する情報はいずれも本願の実施例の保護範囲内に含まれると更に理解すべきである。
【００７６】
好ましくは、本願の実施例において、該方法は、更に、該第１端末装置が該第２端末装置又はネットワーク機器から送信された、該ＰＤＣＰ  ＰＤＵの伝送方式を示すための第１指示情報を受信することを含み、該第１端末装置がパケットデータコンバージェンスプロトコル（ＰＤＣＰ）のプロトコルデータユニット（ＰＤＵ）の伝送方式を確定することは、該第１端末装置が該第１指示情報に基づき、該ＰＤＣＰ  ＰＤＵの伝送方式を確定することを含む。
【００７７】
具体的に、ネットワーク機器は、上記様々なルールに従ってＰＤＣＰ  ＰＤＵの伝送方式を確定して、該確定された伝送方式を端末装置に直接指示することもできる。例えば、ネットワーク機器及び端末装置は、ダウンリンク制御情報における１ｂｉｔで該伝送方式を示すことを約束し、且つ該１ｂｉｔ値が０である場合、該伝送方式が単一リンク伝送方式であり、該１ｂｉｔ値が１である場合、該伝送方式がデータコピー伝送方式であることを示すと約束することができる。当業者であれば、以上は模式的な説明に過ぎず、本願の実施例はそれらに限らないと理解される。
【００７８】
好ましくは、端末装置自身が上記ルールに従って伝送方式を確定したが、ある時間に該伝送方式を直接指示する指示情報を受信し、且つ直接指示する伝送方式がルールに従って確定した伝送方式と異なる場合、端末装置は該直接指示する伝送方式でルールに従って確定した伝送方式を上書きすることができる。
【００７９】
好ましくは、本願の実施例において、該方法は、更に、該第１端末装置が該ＰＤＣＰ  ＰＤＵを伝送するためのリンクを確定することを含む。
【００８０】
具体的に、ＰＤＣＰ  ＰＤＵを伝送する前に、端末装置のＭＡＣ層はまず伝送リンクを選択し、つまり、どの物理層キャリアにおいてスケジューリングするかを選択すべきである。例えば、端末装置の確定した伝送方式が単一リンク伝送方式である場合、端末装置は１つのリンクを任意に選択して伝送してもよく、判断したある再伝送スケジューリング回数が閾値より小さいリンクを直接用いて該ＰＤＣＰ  ＰＤＵを伝送してもよい。端末装置はそれぞれ各リンクの再伝送スケジューリング回数を確定して、すべてのリンクのうちの再伝送スケジューリング回数の最も少ないリンクを用いて該ＰＤＣＰ  ＰＤＵを伝送してもよい。端末装置の確定した伝送方式がデータコピー伝送方式である場合、端末装置はいずれか２つ又は複数のリンクを選択して該ＰＤＣＰ  ＰＤＵのコピーデータを伝送してもよく、端末装置は更にそれぞれ各リンクにおける連続初回伝送スケジューリング回数を確定してもよく、すべてのリンクのうちの連続初回伝送スケジューリング回数の最も多い前の複数のリンクを用いて該ＰＤＣＰ  ＰＤＵを伝送してもよい。端末装置はＭＣＳ値の大きさを判断することにより、ＰＤＣＰ  ＰＤＵを伝送するためのリンクを選択することができる。端末装置がどのようにＰＤＣＰ  ＰＤＵの伝送方式を確定するかは、ここで制限しない。
【００８１】
好ましくは、本願の実施例において、該方法は、更に、該第１端末装置が該第２端末装置又はネットワーク機器から送信された、該ＰＤＣＰ  ＰＤＵを伝送するためのリンクを示すための第２指示情報を受信することと、該第１端末装置が該第２指示情報に基づき、該ＰＤＣＰ  ＰＤＵを伝送するための該リンクを確定することと、を含む。
【００８２】
つまり、端末装置がどのように該ＰＤＣＰ  ＰＤＵを伝送するリンクを確定するかは、ネットワーク機器で直接指示してもよい。このような場合、端末装置はＰＤＣＰ  ＰＤＵの伝送方式を判断せず、ネットワーク機器に指示されるリンクを介して直接伝送してもよい。つまり、該指示情報が１つのリンクを示す場合、端末装置が指示情報に示されるリンクを介して該ＰＤＣＰ  ＰＤＵを直接伝送し、該指示情報が複数のリンクを示す場合、端末装置は指示情報に示される複数のリンクを介して該ＰＤＣＰ  ＰＤＵを直接伝送することができる。端末装置は更にネットワーク機器に指示されるリンクが単一であるかどうかによって該ＰＤＣＰ  ＰＤＵの伝送方式を判断することができる。例えば、指示情報が１つを示す場合、該ＰＤＣＰ  ＰＤＵの伝送方式が単一リンク伝送方式であると見なされてもよく、端末装置はネットワーク機器に指示されるリンクを介して伝送してもよく、他のリンクを用いて該ＰＤＣＰ  ＰＤＵを伝送してもよい。指示情報が２つ又は２つ以上のリンクを示す場合、端末装置は該ＰＤＣＰ  ＰＤＵの伝送方式がデータコピー伝送方式であると見なされてもよく、そうすると端末装置はネットワーク機器に指示されるリンクを用いて該ＰＤＣＰ  ＰＤＵのコピーデータを伝送してもよく、ネットワーク機器に指示されるリンクの一部を用いて伝送してもよく、更に他のリンクを用いて該ＰＤＣＰ  ＰＤＵのコピーデータを伝送してもよい。要するに、ネットワーク機器は端末装置に対しＰＤＣＰ  ＰＤＵを伝送するリンクを示すことができ、端末装置はネットワーク機器に指示されるリンクを用いてもよく、その状況に応じてＰＤＣＰ  ＰＤＵを伝送するリンクを選択してもよい。
【００８３】
更に、該指示情報はデータコピー伝送方式からＰＤＣＰ層データコピー伝送方式への切替を指示してもよく、具体的に、ＰＤＣＰ  ＰＤＵのコピーデータをマッピングする物理層キャリアを更新し、つまり、コピーデータを伝送するリンクが変化したものであってもよく、指示情報は更にデータコピー伝送方式から単一リンク伝送方式への切替を指示してもよく、且つ該ＰＤＣＰ  ＰＤＵがどのリンクにおいて伝送されるかを明確にサポートし、該指示情報は更に単一リンク伝送方式からデータコピー伝送方式までの切替を指示してもよく、しかも該ＰＤＣＰ  ＰＤＵがどのリンクにおいてコピーデータを伝送するかを指示し、該指示情報は更に単一リンク伝送方式から単一リンク伝送方式まで用いた伝送リンクを更新したことを指示してもよい。
【００８４】
端末装置がリンクの一部を選択して該ＰＤＣＰ  ＰＤＵを伝送する場合、他のリンクを用いて他のＰＤＣＰ  ＰＤＵ、例えばデータ伝送の信頼性への要求が低いいくつかのＰＤＣＰ  ＰＤＵを伝送することができる。
【００８５】
従って、本願の実施例のデータ伝送方法は、ＰＤＣＰ  ＰＤＵの伝送方式を動的に切り替えることができ、リソース利用率とデータ伝送の信頼性とのバランスをよく取ることができる。
【００８６】
図４は本願の実施例のデータ伝送方法２００の模式的なブロック図である。図４に示すように、該方法２００は、
ネットワーク機器は、第１端末装置のパケットデータコンバージェンスプロトコル（ＰＤＣＰ）のプロトコルデータユニット（ＰＤＵ）の伝送方式を確定し、前記伝送方式は、データコピー伝送方式又は単一リンク伝送方式を含むＳ２１０と、
該ネットワーク機器は、該ＰＤＣＰ  ＰＤＵの伝送方式を示すための第１指示情報を該第１端末装置に送信するＳ２２０と、を含む。
【００８７】
従って、本願の実施例のデータ伝送方法は、リソース利用率とデータ伝送の信頼性とのバランスをよく取ることができる。
【００８８】
ネットワーク機器はＰＤＣＰ  ＰＤＵの伝送方式を確定した後、端末装置に通知しなくてもよく、同様に、端末装置は設定されたルールによってＰＤＣＰ  ＰＤＵの伝送方式を確定することができると理解すべきである。
【００８９】
好ましくは、本願の実施例において、該ネットワーク機器が第１端末装置のパケットデータコンバージェンスプロトコル（ＰＤＣＰ）のプロトコルデータユニット（ＰＤＵ）の伝送方式を確定することは、該ネットワーク機器が少なくとも１つのリンクのチャネル品質情報に基づき、該ＰＤＣＰ  ＰＤＵの伝送方式を確定することを含む。
【００９０】
好ましくは、本願の実施例において、該少なくとも１つのリンクのチャネル品質情報が該少なくとも１つのリンクの第１時間帯内の再伝送スケジューリング回数、該少なくとも１つのリンクの第２時間帯内の連続初回伝送スケジューリング回数又は該各リンクの変調・符号化方式（ＭＣＳ）値を含み、該ネットワーク機器が少なくとも１つのリンクのチャネル品質情報に基づき、該ＰＤＣＰ  ＰＤＵの伝送方式を確定することは、該ネットワーク機器が該少なくとも１つのリンクの第１時間帯内の再伝送スケジューリング回数、該各リンクの第２時間帯内の連続初回伝送スケジューリング回数又は該各リンクの変調・符号化方式（ＭＣＳ）値に基づき、該ＰＤＣＰ  ＰＤＵの伝送方式を確定することを含む。
【００９１】
好ましくは、本願の実施例において、該ネットワーク機器が該少なくとも１つのリンクの第１時間帯内の再伝送スケジューリング回数に基づき、該ＰＤＣＰ  ＰＤＵの伝送方式を確定することは、該少なくとも１つのリンクのうちのいずれか１つのリンクの該再伝送スケジューリング回数が第１閾値以下である場合、該ネットワーク機器が該ＰＤＣＰ  ＰＤＵの伝送方式を単一リンク伝送方式として確定すること、又は、該少なくとも１つのリンクのうちの各リンクの該再伝送スケジューリング回数がいずれも該第１閾値より大きい場合、該ネットワーク機器が該ＰＤＣＰ  ＰＤＵの伝送方式をデータコピー伝送方式として確定すること、を含む。
【００９２】
好ましくは、本願の実施例において、該ネットワーク機器が該少なくとも１つのリンクの第２時間帯内の連続初回伝送スケジューリング回数に基づき、該ＰＤＣＰ  ＰＤＵの伝送方式を確定することは、該少なくとも１つのリンクのうちのいずれか１つのリンクの該連続初回伝送スケジューリング回数が第２閾値以上である場合、該ネットワーク機器が該ＰＤＣＰ  ＰＤＵの伝送方式を単一リンク伝送方式として確定すること、又は、該少なくとも１つのリンクのうちの各リンクの該連続初回伝送スケジューリング回数がいずれも該第２閾値より小さい場合、該ネットワーク機器が該ＰＤＣＰ  ＰＤＵの伝送方式をデータコピー伝送方式として確定すること、を含む。
【００９３】
好ましくは、本願の実施例において、該ネットワーク機器が該少なくとも１つのリンクのＭＣＳ値に基づき、該ＰＤＣＰ  ＰＤＵの伝送方式を確定することは、該少なくとも１つのリンクのうちのいずれか１つのリンクの該ＭＣＳ値が第３閾値以上である場合、該ネットワーク機器が該ＰＤＣＰ  ＰＤＵの伝送方式を単一リンク伝送方式として確定すること、又は、該少なくとも１つのリンクのうちの各リンクの該ＭＣＳ値がいずれも該第３閾値より小さい場合、該ネットワーク機器が該ＰＤＣＰ  ＰＤＵの伝送方式をデータコピー伝送方式として確定すること、を含む。
【００９４】
好ましくは、本願の実施例において、該少なくとも１つのリンクが複数のリンクであり、該方法は、更に、該ＰＤＣＰ  ＰＤＵの伝送方式が単一リンク伝送方式である場合、該ネットワーク機器が該複数のリンクのうちのチャネル品質の最も良いリンクを、該ＰＤＣＰ  ＰＤＵを伝送するためのリンクとして確定し、又は該ＰＤＣＰ  ＰＤＵの伝送方式がデータコピー伝送方式である場合、該ネットワーク機器が該複数のリンクのうちの各リンクのチャネル品質の優先度の降順に基づいて、該複数のリンクのうちの複数のリンクを、該ＰＤＣＰ  ＰＤＵを伝送するためのリンクとして確定することと、該ネットワーク機器が該ＰＤＣＰ  ＰＤＵを伝送するための該リンクを示すための第２指示情報を該第１端末装置に送信することと、を含む。
【００９５】
ネットワーク機器に説明されるネットワーク機器と端末装置との双方向及び関連特性、機能等は端末装置の関連特性、機能に対応すると理解すべきである。つまり、端末装置がネットワーク機器へどの情報を送信することに対応して、ネットワーク機器がどの情報を受信する。簡潔のため、ここで詳細な説明は省略する。
【００９６】
本願の様々な実施例において、上記各過程の番号の順位は実行順序の前後を意味せず、各過程の実行順序はその機能及び内部論理によって確定されるべきであり、本願の実施例の実施過程を制限するためのものではないと更に理解すべきである。
【００９７】
図５は本願の実施例のデータを伝送する端末装置３００の模式的なブロック図である。図５に示すように、該端末装置３００は、
パケットデータコンバージェンスプロトコル（ＰＤＣＰ）のプロトコルデータユニット（ＰＤＵ）の伝送方式を確定するように構成され、前記伝送方式が、データコピー伝送方式又は単一リンク伝送方式を含む処理ユニット３１０と、
前記ＰＤＣＰ  ＰＤＵの伝送方式に基づき、第２端末装置又はネットワーク機器へ前記ＰＤＣＰ  ＰＤＵを送信するように構成される送信ユニット３２０と、を備える。
【００９８】
従って、本願の実施例のデータ伝送方法は、ＰＤＣＰ  ＰＤＵの伝送方式を動的に切り替えることができ、リソース利用率とデータ伝送の信頼性とのバランスをよく取ることができる。
【００９９】
好ましくは、本願の実施例において、前記処理ユニット３１０は、具体的に、少なくとも１つのリンクのチャネル品質情報に基づき、前記ＰＤＣＰ  ＰＤＵの伝送方式を確定するように構成される。
【０１００】
好ましくは、本願の実施例において、前記少なくとも１つのリンクのチャネル品質情報が前記少なくとも１つのリンクの第１時間帯内の再伝送スケジューリング回数、前記少なくとも１つのリンクの第２時間帯内の連続初回伝送スケジューリング回数又は前記少なくとも１つのリンクの変調・符号化方式（ＭＣＳ）値を含み、前記処理ユニット３１０は、具体的に、前記少なくとも１つのリンクの第１時間帯内の再伝送スケジューリング回数、前記少なくとも１つのリンクの第２時間帯内の連続初回伝送スケジューリング回数又は前記少なくとも１つのリンクの変調・符号化方式（ＭＣＳ）値に基づき、前記ＰＤＣＰ  ＰＤＵの伝送方式を確定するように構成される。
【０１０１】
好ましくは、本願の実施例において、前記処理ユニット３１０は、具体的に、前記少なくとも１つのリンクのうちのいずれか１つのリンクの前記再伝送スケジューリング回数が第１閾値以下である場合、前記ＰＤＣＰ  ＰＤＵの伝送方式を単一リンク伝送方式として確定し、又は前記少なくとも１つのリンクのうちの各リンクの前記再伝送スケジューリング回数がいずれも前記第１閾値より大きい場合、前記ＰＤＣＰ  ＰＤＵの伝送方式をデータコピー伝送方式として確定するように構成される。
【０１０２】
好ましくは、本願の実施例において、前記処理ユニット３１０は、具体的に、前記少なくとも１つのリンクのうちのいずれか１つのリンクの前記連続初回伝送スケジューリング回数が第２閾値以上である場合、前記ＰＤＣＰ  ＰＤＵの伝送方式を単一リンク伝送方式として確定し、又は前記少なくとも１つのリンクのうちの各リンクの前記連続初回伝送スケジューリング回数がいずれも前記第２閾値より小さい場合、前記ＰＤＣＰ  ＰＤＵの伝送方式をデータコピー伝送方式として確定するように構成される。
【０１０３】
好ましくは、本願の実施例において、前記処理ユニット３１０は、具体的に、前記少なくとも１つのリンクの前記ＭＣＳ値が第３閾値以上である場合、前記ＰＤＣＰ  ＰＤＵの伝送方式を単一リンク伝送方式として確定し、又は前記少なくとも１つのリンクのうちの各リンクの前記ＭＣＳ値がいずれも前記第３閾値より小さい場合、前記ＰＤＣＰ  ＰＤＵの伝送方式をデータコピー伝送方式として確定するように構成される。
【０１０４】
好ましくは、本願の実施例において、前記端末装置３００は、更に、前記第２端末装置又はネットワーク機器から送信された、前記ＰＤＣＰ  ＰＤＵの伝送方式を示すための第１指示情報を受信するように構成される受信ユニット３３０を備え、前記処理ユニット３１０は、具体的に、前記第１指示情報に基づき、前記ＰＤＣＰ  ＰＤＵの伝送方式を確定するように構成される。
【０１０５】
好ましくは、本願の実施例において、該少なくとも１つのリンクが複数のリンクであり、前記処理ユニット３１０は、更に、該ＰＤＣＰ  ＰＤＵの伝送方式が単一リンク伝送方式である場合、該複数のリンクのうちのチャネル品質の最も良いリンクを、該ＰＤＣＰ  ＰＤＵを伝送するためのリンクとして確定し、又は該ＰＤＣＰ  ＰＤＵの伝送方式がデータコピー伝送方式である場合、該複数のリンクのうちの各リンクのチャネル品質の優先度の降順に基づいて、該複数のリンクのうちの複数のリンクを、該ＰＤＣＰ  ＰＤＵのコピーデータを伝送するためのリンクとして確定するように構成される。
【０１０６】
好ましくは、本願の実施例において、前記受信ユニット３３０は、更に、前記第２端末装置又はネットワーク機器から送信された、前記ＰＤＣＰ  ＰＤＵを伝送するためのリンクを示すための第２指示情報を受信するように構成され、前記処理ユニットは、具体的に、前記第２指示情報に基づき、前記ＰＤＣＰ  ＰＤＵを伝送するための前記リンクを確定するように構成される。
【０１０７】
本願の実施例に係るデータを伝送する端末装置３００は本願の方法実施例の端末装置に対応してもよく、且つ端末装置３００における各ユニットの上記及び他の操作及び／又は機能はそれぞれ図３の方法における端末装置の対応プロセスを実現するためのものであり、簡潔のため、ここで詳細な説明は省略すると理解すべきである。
【０１０８】
図６は本願の実施例に係るデータを伝送するネットワーク機器４００の模式的なブロック図である。図６に示すように、該ネットワーク機器４００は、
第１端末装置のパケットデータコンバージェンスプロトコル（ＰＤＣＰ）のプロトコルデータユニット（ＰＤＵ）の伝送方式を確定するように構成され、前記伝送方式が、データコピー伝送方式又は単一リンク伝送方式を含む処理ユニット４１０と、
前記ＰＤＣＰ  ＰＤＵの伝送方式を示すための第１指示情報を前記第１端末装置に送信するように構成される送信ユニット４２０と、を備える。
【０１０９】
従って、本願の実施例のデータ伝送方法は、ＰＤＣＰ  ＰＤＵの伝送方式を動的に切り替えることができ、リソース利用率とデータ伝送の信頼性とのバランスをよく取ることができる。
【０１１０】
好ましくは、本願の実施例において、前記処理ユニット４１０は、具体的に、少なくとも１つのリンクのチャネル品質情報に基づき、前記ＰＤＣＰ  ＰＤＵの伝送方式を確定するように構成される。
【０１１１】
好ましくは、本願の実施例において、前記少なくとも１つのリンクのチャネル品質情報が前記少なくとも１つのリンクの第１時間帯内の再伝送スケジューリング回数、前記少なくとも１つのリンクの第２時間帯内の連続初回伝送スケジューリング回数又は前記各リンクの変調・符号化方式（ＭＣＳ）値を含み、前記処理ユニット４１０は、具体的に、前記少なくとも１つのリンクの第１時間帯内の再伝送スケジューリング回数、前記各リンクの第２時間帯内の連続初回伝送スケジューリング回数又は前記各リンクの変調・符号化方式（ＭＣＳ）値に基づき、前記ＰＤＣＰ  ＰＤＵの伝送方式を確定するように構成される。
【０１１２】
好ましくは、本願の実施例において、前記処理ユニット４１０は、具体的に、前記少なくとも１つのリンクのうちのいずれか１つのリンクの前記再伝送スケジューリング回数が第１閾値以下である場合、前記ＰＤＣＰ  ＰＤＵの伝送方式を単一リンク伝送方式として確定し、前記少なくとも１つのリンクのうちの各リンクの前記再伝送スケジューリング回数がいずれも前記第１閾値より大きい場合、前記ＰＤＣＰ  ＰＤＵの伝送方式をデータコピー伝送方式として確定するように構成される。
【０１１３】
好ましくは、本願の実施例において、前記処理ユニット４１０は、具体的に、前記少なくとも１つのリンクのうちのいずれか１つのリンクの前記連続初回伝送スケジューリング回数が第２閾値以上である場合、前記ＰＤＣＰ  ＰＤＵの伝送方式を単一リンク伝送方式として確定し、前記少なくとも１つのリンクのうちの各リンクの前記連続初回伝送スケジューリング回数がいずれも前記第２閾値より小さい場合、前記ＰＤＣＰ  ＰＤＵの伝送方式をデータコピー伝送方式として確定するように構成される。
【０１１４】
好ましくは、本願の実施例において、前記処理ユニット４１０は、具体的に、前記少なくとも１つのリンクのうちのいずれか１つのリンクの前記ＭＣＳ値が第３閾値以上である場合、前記ＰＤＣＰ  ＰＤＵの伝送方式を単一リンク伝送方式として確定し、前記少なくとも１つのリンクのうちの各リンクの前記ＭＣＳ値がいずれも前記第３閾値より小さい場合、前記ＰＤＣＰ  ＰＤＵの伝送方式をデータコピー伝送方式として確定するように構成される。
【０１１５】
好ましくは、本願の実施例において、該少なくとも１つのリンクが複数のリンクであり、該処理ユニット４１０は、更に、該ＰＤＣＰ  ＰＤＵの伝送方式が単一リンク伝送方式である場合、該複数のリンクのうちのチャネル品質の最も良いリンクを、該ＰＤＣＰ  ＰＤＵを伝送するためのリンクとして確定し、又は該ＰＤＣＰ  ＰＤＵの伝送方式がデータコピー伝送方式である場合、該複数のリンクのうちの各リンクのチャネル品質の優先度の降順に基づいて、該複数のリンクのうちの複数のリンクを、該ＰＤＣＰ  ＰＤＵを伝送するためのリンクとして確定するように構成され、前記送信ユニット４２０は、更に、該ＰＤＣＰ  ＰＤＵを伝送するための該リンクを示すための第２指示情報を該第１端末装置に送信するように構成される。
【０１１６】
本願の実施例に係るデータを伝送するネットワーク機器４００は本願の方法実施例のネットワーク機器に対応してもよく、且つネットワーク機器４００における各ユニットの上記及び他の操作及び／又は機能はそれぞれ図４の方法におけるネットワーク機器の対応プロセスを実現するためのものであり、簡潔のため、ここで詳細な説明は省略すると理解すべきである。
【０１１７】
図７に示すように、本願の実施例は更にデータを伝送する端末装置５００を提供し、該端末装置５００は図３における方法１００に対応する端末装置の内容を実行するために使用できる図５における端末装置３００であってもよい。該端末装置５００は入力インターフェース５１０、出力インターフェース５２０、プロセッサ５３０及びメモリ５４０を備え、該入力インターフェース５１０、出力インターフェース５２０、プロセッサ５３０及びメモリ５４０がバスシステムによって接続されてもよい。前記メモリ５４０がプログラム、命令又はコードを記憶することに用いられる。入力インターフェース５１０が信号を受信し、出力インターフェース５２０が信号を送信し及び上記方法実施例における操作を完了するように制御するために、前記プロセッサ５３０が前記メモリ５４０におけるプログラム、命令又はコードを実行することに用いられる。
【０１１８】
従って、本願の実施例のデータを伝送する端末装置は、ＰＤＣＰ  ＰＤＵの伝送方式を動的に切り替えることができ、リソース利用率とデータ伝送の信頼性とのバランスをよく取ることができる。
【０１１９】
本願の実施例において、該プロセッサ５３０は中央処理装置（ＣＰＵ：Ｃｅｎｔｒａｌ  Ｐｒｏｃｅｓｓｉｎｇ  Ｕｎｉｔ）であってもよく、該プロセッサ５３０は更に他の汎用プロセッサ、デジタル信号プロセッサ、特定用途向け集積回路、フィールドプログラマブルゲートアレイ又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０１２０】
該メモリ５４０は読み出し専用メモリ及びランダムアクセスメモリを含んでもよく、且つプロセッサ５３０に命令及びデータを提供する。メモリ５４０の一部は更に不揮発性ランダムアクセスメモリを含んでもよい。例えば、メモリ５４０に更に装置タイプ情報が記憶されてもよい。
【０１２１】
実現過程において、上記方法の各内容はプロセッサ５３０におけるハードウェアの集積論理回路又はソフトウェア形式の命令で完了してもよい。本願の実施例に開示される方法の内容はハードウェアプロセッサで実行して完了し、又はプロセッサにおけるハードウェア及びソフトウェアモジュールの組み合わせで実行して完了すると直接表されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ５４０に位置し、プロセッサ５３０がメモリ５４０における情報を読み取り、そのハードウェアと組み合わせて上記方法の内容を完了する。重複を避けるため、ここで詳細な説明は省略する。
【０１２２】
１つの具体的な実施形態において、端末装置３００における送信ユニット３２０は図７における出力インターフェース５２０により実現されてもよく、端末装置３００における処理ユニット３１０は図７におけるプロセッサ５３０により実現されてもよく、端末装置３００における受信ユニット３３０は図７における入力インターフェース５１０により実現されてもよい。
【０１２３】
図８に示すように、本願の実施例は更にデータを伝送するネットワーク機器６００を提供し、該ネットワーク機器６００は図４における方法２００に対応するネットワーク機器の内容を実行するために使用できる図６におけるネットワーク機器４００であってもよい。該ネットワーク機器６００は入力インターフェース６１０、出力インターフェース６２０、プロセッサ６３０及びメモリ６４０を備え、該入力インターフェース６１０、出力インターフェース６２０、プロセッサ６３０及びメモリ６４０がバスシステムによって接続されてもよい。前記メモリ６４０がプログラム、命令又はコードを記憶することに用いられる。入力インターフェース６１０が信号を受信し、出力インターフェース６２０が信号を送信し及び上記方法実施例における操作を完了するように制御するために、前記プロセッサ６３０が前記メモリ６４０におけるプログラム、命令又はコードを実行することに用いられる。
【０１２４】
従って、本願の実施例のデータを伝送するネットワーク機器は、ＰＤＣＰ  ＰＤＵの伝送方式を動的に切り替えることができ、リソース利用率とデータ伝送の信頼性とのバランスをよく取ることができる。
【０１２５】
本願の実施例において、該プロセッサ６３０は中央処理装置（ＣＰＵ：Ｃｅｎｔｒａｌ  Ｐｒｏｃｅｓｓｉｎｇ  Ｕｎｉｔ）であってもよく、該プロセッサ６３０は更に他の汎用プロセッサ、デジタル信号プロセッサ、特定用途向け集積回路、フィールドプログラマブルゲートアレイ又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０１２６】
該メモリ６４０は読み出し専用メモリ及びランダムアクセスメモリを含んでもよく、且つプロセッサ６３０に命令及びデータを提供する。メモリ６４０の一部は更に不揮発性ランダムアクセスメモリを含んでもよい。例えば、メモリ６４０に更に装置タイプ情報が記憶されてもよい。
【０１２７】
実現過程において、上記方法の各内容はプロセッサ６３０におけるハードウェアの集積論理回路又はソフトウェア形式の命令で完了してもよい。本願の実施例に開示される方法の内容はハードウェアプロセッサで実行して完了し、又はプロセッサにおけるハードウェア及びソフトウェアモジュールの組み合わせで実行して完了すると直接表されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ６４０に位置し、プロセッサ６３０がメモリ６４０における情報を読み取り、そのハードウェアと組み合わせて上記方法の内容を完了する。重複を避けるため、ここで詳細な説明は省略する。
【０１２８】
１つの具体的な実施形態において、ネットワーク機器４００における処理ユニット４１０は図８におけるプロセッサ６３０により実現されてもよく、送信ユニット４２０が図８における出力インターフェース６２０により実現されてもよい。
【０１２９】
当業者であれば、本明細書に開示される実施例を参照して説明した各例示的なユニット及びアルゴリズムステップは、電子ハードウェア、又はコンピュータソフトウェア及び電子ハードウェアの組み合わせで実現されてもよいと理解される。これらの機能をハードウェア又はソフトウェア方式で実行するかは、技術案の特定応用及び設計制約条件によって確定される。当業者は各特定応用に対して異なる方法で説明される機能を実現することができるが、このような実現は本願の範囲を超えると見なされるべきではない。
【０１３０】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１３１】
本願に係るいくつかの実施例において、開示されるシステム、装置及び方法は他の方式で実現されてもよいと理解すべきである。例えば、以上に説明される装置実施例は模式的なものに過ぎず、例えば、該ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１３２】
分離部材として説明される該ユニットは物理的に分離してもよく、物理的に分離しなくてもよく、ユニットとして表示される部材は物理ユニットであってもよく、物理ユニットでなくてもよく、つまり、一箇所に位置してもよく、複数のネットワークユニットに配置されてもよい。実際の必要に応じて、その一部又は全部のユニットを選択して本実施例案の目的を実現してもよい。
【０１３３】
また、本願の各実施例において、各機能ユニットは１つの処理ユニットに統合されてもよく、各ユニットは独立して物理的に存在してもよく、２つ又は２つ以上のユニットは１つのユニットに統合されてもよい。
【０１３４】
該機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で表されてもよく、該コンピュータソフトウェア製品は、１台のコンピュータ装置（パーソナルコンピュータ、サーバ又はネットワーク機器等であってもよい）に本願の各実施例における該方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１３５】
以上の説明は本願の具体的な実施形態であって、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2020515182.tif 000003
【図２】
2020515182.tif 000004
【図３】
2020515182.tif 000005
【図４】
2020515182.tif 000006
【図５】
2020515182.tif 000007
【図６】
2020515182.tif 000008
【図７】
2020515182.tif 000009
【図８】
2020515182.tif 000010
【手続補正書】
【提出日】令和2年3月5日(2020.3.5)
【手続補正１】
【補正対象書類名】特許請求の範囲
【補正対象項目名】全文
【補正方法】変更
【補正の内容】
【特許請求の範囲】
【請求項１】
データ伝送方法であって、
第１端末装置は、伝送対象のパケットデータコンバージェンスプロトコル（ＰＤＣＰ）のプロトコルデータユニット（ＰＤＵ）の伝送方式を確定し、前記伝送方式が、データコピー伝送方式又は単一リンク伝送方式を含むことと、
前記第１端末装置は、前記ＰＤＣＰ  ＰＤＵの伝送方式に基づき、第２端末装置又はネットワーク機器へ前記ＰＤＣＰ  ＰＤＵを送信することと、を含むことを特徴とする、前記データ伝送方法。
【請求項２】
前記第１端末装置が、伝送対象のパケットデータコンバージェンスプロトコル（ＰＤＣＰ）のプロトコルデータユニット（ＰＤＵ）の伝送方式を確定することは、
前記第１端末装置は、少なくとも１つのリンクのチャネル品質情報に基づき、前記ＰＤＣＰ  ＰＤＵの伝送方式を確定することを含み、
前記少なくとも１つのリンクのチャネル品質情報が前記少なくとも１つのリンクの第１時間帯内の再伝送スケジューリング回数、前記少なくとも１つのリンクの第２時間帯内の連続初回伝送スケジューリング回数又は前記少なくとも１つのリンクの変調・符号化方式（ＭＣＳ）値を含み、
前記第１端末装置が、少なくとも１つのリンクのチャネル品質情報に基づき、前記ＰＤＣＰ  ＰＤＵの伝送方式を確定することは、
前記第１端末装置は、前記少なくとも１つのリンクの第１時間帯内の再伝送スケジューリング回数、前記少なくとも１つのリンクの第２時間帯内の連続初回伝送スケジューリング回数又は前記少なくとも１つのリンクのＭＣＳ値に基づき、前記ＰＤＣＰ  ＰＤＵの伝送方式を確定することを含むことを特徴とする
請求項１に記載の方法。
【請求項３】
前記第１端末装置が前記少なくとも１つのリンクの第１時間帯内の再伝送スケジューリング回数に基づき、前記ＰＤＣＰ  ＰＤＵの伝送方式を確定することは、
前記少なくとも１つのリンクのうちのいずれか１つのリンクの前記再伝送スケジューリング回数が第１閾値以下である場合、前記第１端末装置は、前記ＰＤＣＰ  ＰＤＵの伝送方式を単一リンク伝送方式として確定し、又は
前記少なくとも１つのリンクのうちの各リンクの前記再伝送スケジューリング回数がいずれも第１閾値より大きい場合、前記第１端末装置は、前記ＰＤＣＰ  ＰＤＵの伝送方式をデータコピー伝送方式として確定することを含み、
前記第１端末装置が前記少なくとも１つのリンクの第２時間帯内の連続初回伝送スケジューリング回数に基づき、前記ＰＤＣＰ  ＰＤＵの伝送方式を確定することは、
前記少なくとも１つのリンクのうちのいずれか１つのリンクの前記連続初回伝送スケジューリング回数が第２閾値以上である場合、前記第１端末装置は、前記ＰＤＣＰ  ＰＤＵの伝送方式を単一リンク伝送方式として確定し、又は
前記少なくとも１つのリンクのうちの各リンクの前記連続初回伝送スケジューリング回数がいずれも第２閾値より小さい場合、前記第１端末装置は、前記ＰＤＣＰ  ＰＤＵの伝送方式をデータコピー伝送方式として確定することを含み、
前記第１端末装置が前記少なくとも１つのリンクのＭＣＳ値に基づき、前記ＰＤＣＰ  ＰＤＵの伝送方式を確定することは、
前記少なくとも１つのリンクのうちのいずれか一つのリンクの前記ＭＣＳ値が第３閾値以上である場合、前記第１端末装置は、前記ＰＤＣＰ  ＰＤＵの伝送方式を単一リンク伝送方式として確定し、又は
前記少なくとも１つのリンクのうちの各リンクの前記ＭＣＳ値がいずれも第３閾値より小さい場合、前記第１端末装置は、前記ＰＤＣＰ  ＰＤＵの伝送方式をデータコピー伝送方式として確定することを含むことを特徴とする
請求項２に記載の方法。
【請求項４】
前記方法は、更に、
前記第１端末装置は、前記第２端末装置又はネットワーク機器から送信された、前記ＰＤＣＰ  ＰＤＵの伝送方式を示すための第１指示情報を受信することを含み、
前記第１端末装置がパケットデータコンバージェンスプロトコル（ＰＤＣＰ）のプロトコルデータユニット（ＰＤＵ）の伝送方式を確定することは、
前記第１端末装置は、前記第１指示情報に基づき、前記ＰＤＣＰ  ＰＤＵの伝送方式を確定することを含むことを特徴とする
請求項１に記載の方法。
【請求項５】
前記方法は、更に、
前記第１端末装置は、前記第２端末装置又はネットワーク機器から送信された、前記ＰＤＣＰ  ＰＤＵを伝送するためのリンクを示すための第２指示情報を受信することと、
前記第１端末装置は、前記第２指示情報に基づき、前記ＰＤＣＰ  ＰＤＵを伝送するための前記リンクを確定することと、を含むことを特徴とする
請求項４に記載の方法。
【請求項６】
データ伝送方法であって、
ネットワーク機器は、第１端末装置のパケットデータコンバージェンスプロトコル（ＰＤＣＰ）のプロトコルデータユニット（ＰＤＵ）の伝送方式を確定し、前記伝送方式が、データコピー伝送方式又は単一リンク伝送方式を含むことと、
前記ネットワーク機器は、前記ＰＤＣＰ  ＰＤＵの伝送方式を示すための第１指示情報を前記第１端末装置に送信することと、を含むことを特徴とする、前記データ伝送方法。
【請求項７】
前記ネットワーク機器が第１端末装置のパケットデータコンバージェンスプロトコル（ＰＤＣＰ）のプロトコルデータユニット（ＰＤＵ）の伝送方式を確定することは、
前記ネットワーク機器は、少なくとも１つのリンクのチャネル品質情報に基づき、前記ＰＤＣＰ  ＰＤＵの伝送方式を確定することを含み、
前記少なくとも１つのリンクのチャネル品質情報が前記少なくとも１つのリンクの第１時間帯内の再伝送スケジューリング回数、前記少なくとも１つのリンクの第２時間帯内の連続初回伝送スケジューリング回数又は前記少なくとも１つのリンクの変調・符号化方式（ＭＣＳ）値を含み、
前記ネットワーク機器が、少なくとも１つのリンクのチャネル品質情報に基づき、前記ＰＤＣＰ  ＰＤＵの伝送方式を確定することは、
前記ネットワーク機器は、前記少なくとも１つのリンクの第１時間帯内の再伝送スケジューリング回数、前記少なくとも１つのリンクの第２時間帯内の連続初回伝送スケジューリング回数又は前記少なくとも１つのリンクの変調・符号化方式（ＭＣＳ）値に基づき、前記ＰＤＣＰ  ＰＤＵの伝送方式を確定することを含むことを特徴とする
請求項６に記載の方法。
【請求項８】
前記ネットワーク機器が前記少なくとも１つのリンクの第１時間帯内の再伝送スケジューリング回数に基づき、前記ＰＤＣＰ  ＰＤＵの伝送方式を確定することは、
前記少なくとも１つのリンクのうちのいずれか１つのリンクの前記再伝送スケジューリング回数が第１閾値以下である場合、前記ネットワーク機器は、前記ＰＤＣＰ  ＰＤＵの伝送方式を単一リンク伝送方式として確定すること、又は
前記少なくとも１つのリンクのうちの各リンクの前記再伝送スケジューリング回数がいずれも第１閾値より大きい場合、前記ネットワーク機器は、前記ＰＤＣＰ  ＰＤＵの伝送方式をデータコピー伝送方式として確定すること、を含み、
前記ネットワーク機器が前記少なくとも１つのリンクの第２時間帯内の連続初回伝送スケジューリング回数に基づき、前記ＰＤＣＰ  ＰＤＵの伝送方式を確定することは、
前記少なくとも１つのリンクのうちのいずれか１つのリンクの前記連続初回伝送スケジューリング回数が第２閾値以上である場合、前記ネットワーク機器は、前記ＰＤＣＰ  ＰＤＵの伝送方式を単一リンク伝送方式として確定すること、又は
前記少なくとも１つのリンクのうちの各リンクの前記連続初回伝送スケジューリング回数がいずれも第２閾値より小さい場合、前記ネットワーク機器は、前記ＰＤＣＰ  ＰＤＵの伝送方式をデータコピー伝送方式として確定すること、を含み、
前記ネットワーク機器が前記少なくとも１つのリンクのＭＣＳ値に基づき、前記ＰＤＣＰ  ＰＤＵの伝送方式を確定することは、
前記少なくとも１つのリンクのうちのいずれか１つのリンクの前記ＭＣＳ値が第３閾値以上である場合、前記ネットワーク機器は、前記ＰＤＣＰ  ＰＤＵの伝送方式を単一リンク伝送方式として確定すること、又は、
前記少なくとも１つのリンクのうちの各リンクの前記ＭＣＳ値がいずれも第３閾値より小さい場合、前記ネットワーク機器は、前記ＰＤＣＰ  ＰＤＵの伝送方式をデータコピー伝送方式として確定すること、を含むことを特徴とする
請求項７に記載の方法。
【請求項９】
複数のリンクである場合、前記方法は、更に、
前記ＰＤＣＰ  ＰＤＵの伝送方式が単一リンク伝送方式である場合、前記ネットワーク機器は、前記複数のリンクのうちのチャネル品質の最も良いリンクを、前記ＰＤＣＰ  ＰＤＵを伝送するためのリンクとして確定し、又は
前記ＰＤＣＰ  ＰＤＵの伝送方式がデータコピー伝送方式である場合、前記ネットワーク機器は、前記複数のリンクのうちの各リンクのチャネル品質の優先度の降順に基づいて、前記複数のリンクのうちの複数のリンクを、前記ＰＤＣＰ  ＰＤＵを伝送するためのリンクとして確定することと、
前記ネットワーク機器は、前記ＰＤＣＰ  ＰＤＵを伝送するための前記リンクを示すための第２指示情報を前記第１端末装置に送信することと、を含むことを特徴とする
請求項６〜８のいずれか１項に記載の方法。
【請求項１０】
データを伝送する端末装置であって、
前記端末装置が第１端末装置を含み、前記第１端末装置は、
パケットデータコンバージェンスプロトコル（ＰＤＣＰ）のプロトコルデータユニット（ＰＤＵ）の伝送方式を確定するように構成され、前記伝送方式が、データコピー伝送方式又は単一リンク伝送方式を含む処理ユニットと、
前記ＰＤＣＰ  ＰＤＵの伝送方式に基づき、第２端末装置又はネットワーク機器へ前記ＰＤＣＰ  ＰＤＵを送信するように構成される送信ユニットと、を備えることを特徴とする、前記データを伝送する端末装置。
【請求項１１】
前記処理ユニットは、具体的に、
少なくとも１つのリンクのチャネル品質情報に基づき、前記ＰＤＣＰ  ＰＤＵの伝送方式を確定するように構成され、
前記少なくとも１つのリンクのチャネル品質情報が前記少なくとも１つのリンクの第１時間帯内の再伝送スケジューリング回数、前記少なくとも１つのリンクの第２時間帯内の連続初回伝送スケジューリング回数又は前記少なくとも１つのリンクの変調・符号化方式（ＭＣＳ）値を含み、前記処理ユニットは、具体的に、
前記少なくとも１つのリンクの第１時間帯内の再伝送スケジューリング回数、前記少なくとも１つのリンクの第２時間帯内の連続初回伝送スケジューリング回数又は前記少なくとも１つのリンクの変調・符号化方式（ＭＣＳ）値に基づき、前記ＰＤＣＰ  ＰＤＵの伝送方式を確定するように構成されることを特徴とする
請求項１０に記載の端末装置。
【請求項１２】
前記処理ユニットは、具体的に、
前記少なくとも１つのリンクのうちのいずれか１つのリンクの前記再伝送スケジューリング回数が第１閾値以下である場合、前記ＰＤＣＰ  ＰＤＵの伝送方式を単一リンク伝送方式として確定し、又は
前記少なくとも１つのリンクのうちの各リンクの前記再伝送スケジューリング回数がいずれも第１閾値より大きい場合、前記ＰＤＣＰ  ＰＤＵの伝送方式をデータコピー伝送方式として確定するように構成され、
前記処理ユニットは、具体的に、
前記少なくとも１つのリンクのうちのいずれか１つのリンクの前記連続初回伝送スケジューリング回数が第２閾値以上である場合、前記ＰＤＣＰ  ＰＤＵの伝送方式を単一リンク伝送方式として確定し、又は
前記少なくとも１つのリンクのうちの各リンクの前記連続初回伝送スケジューリング回数がいずれも第２閾値より小さい場合、前記ＰＤＣＰ  ＰＤＵの伝送方式をデータコピー伝送方式として確定するように構成され、
前記処理ユニットは、具体的に、
前記少なくとも１つのリンクのうちのいずれか一つのリンクの前記ＭＣＳ値が第３閾値以上である場合、前記ＰＤＣＰ  ＰＤＵの伝送方式を単一リンク伝送方式として確定し、又は
前記少なくとも１つのリンクのうちの各リンクの前記ＭＣＳ値がいずれも第３閾値より小さい場合、前記ＰＤＣＰ  ＰＤＵの伝送方式をデータコピー伝送方式として確定するように構成されることを特徴とする
請求項１１に記載の端末装置。
【請求項１３】
前記端末装置は、更に、
前記第２端末装置又はネットワーク機器から送信された、前記ＰＤＣＰ  ＰＤＵの伝送方式を示すための第１指示情報を受信するように構成される受信ユニットを備え、
前記処理ユニットは、具体的に、
前記第１指示情報に基づき、前記ＰＤＣＰ  ＰＤＵの伝送方式を確定するように構成される
請求項１０に記載の端末装置。
【請求項１４】
前記受信ユニットは、更に、
前記第２端末装置又はネットワーク機器から送信された、前記ＰＤＣＰ  ＰＤＵを伝送するためのリンクを示すための第２指示情報を受信するように構成され、
前記処理ユニットは、具体的に、
前記第２指示情報に基づき、前記ＰＤＣＰ  ＰＤＵを伝送するための前記リンクを確定するように構成されることを特徴とする
請求項１３に記載の端末装置。
【請求項１５】
データを伝送するネットワーク機器であって、
第１端末装置のパケットデータコンバージェンスプロトコル（ＰＤＣＰ）のプロトコルデータユニット（ＰＤＵ）の伝送方式を確定するように構成され、前記伝送方式が、データコピー伝送方式又は単一リンク伝送方式を含む処理ユニットと、
前記ＰＤＣＰ  ＰＤＵの伝送方式を示すための第１指示情報を前記第１端末装置に送信するように構成される送信ユニットと、を備えることを特徴とする、前記データを伝送するネットワーク機器。
【請求項１６】
前記処理ユニットは、具体的に、
少なくとも１つのリンクのチャネル品質情報に基づき、前記ＰＤＣＰ  ＰＤＵの伝送方式を確定するように構成され、
前記少なくとも１つのリンクのチャネル品質情報が前記少なくとも１つのリンクの第１時間帯内の再伝送スケジューリング回数、前記少なくとも１つのリンクの第２時間帯内の連続初回伝送スケジューリング回数又は前記各リンクの変調・符号化方式（ＭＣＳ）値を含み、前記処理ユニットは、具体的に、
前記少なくとも１つのリンクの第１時間帯内の再伝送スケジューリング回数、前記各リンクの第２時間帯内の連続初回伝送スケジューリング回数又は前記各リンクの変調・符号化方式（ＭＣＳ）値に基づき、前記ＰＤＣＰ  ＰＤＵの伝送方式を確定するように構成されることを特徴とする
請求項１５に記載のネットワーク機器。
【請求項１７】
前記処理ユニットは、具体的に、
前記少なくとも１つのリンクのうちのいずれか１つのリンクの前記再伝送スケジューリング回数が第１閾値以下である場合、前記ＰＤＣＰ  ＰＤＵの伝送方式を単一リンク伝送方式として確定し、又は、
前記少なくとも１つのリンクのうちの各リンクの前記再伝送スケジューリング回数がいずれも第１閾値より大きい場合、前記ＰＤＣＰ  ＰＤＵの伝送方式をデータコピー伝送方式として確定するように構成され、
前記処理ユニットは、具体的に、
前記少なくとも１つのリンクのうちのいずれか１つのリンクの前記連続初回伝送スケジューリング回数が第２閾値以上である場合、前記ＰＤＣＰ  ＰＤＵの伝送方式を単一リンク伝送方式として確定し、又は、
前記少なくとも１つのリンクのうちの各リンクの前記連続初回伝送スケジューリング回数がいずれも第２閾値より小さい場合、前記ＰＤＣＰ  ＰＤＵの伝送方式をデータコピー伝送方式として確定するように構成され、
前記処理ユニットは、具体的に、
前記少なくとも１つのリンクのうちのいずれか１つのリンクの前記ＭＣＳ値が第３閾値以上である場合、前記ＰＤＣＰ  ＰＤＵの伝送方式を単一リンク伝送方式として確定し、又は、
前記少なくとも１つのリンクのうちの各リンクの前記ＭＣＳ値がいずれも第３閾値より小さい場合、前記ＰＤＣＰ  ＰＤＵの伝送方式をデータコピー伝送方式として確定するように構成されることを特徴とする
請求項１６に記載のネットワーク機器。
【請求項１８】
複数のリンクである場合、前記処理ユニットは、更に、
前記ＰＤＣＰ  ＰＤＵの伝送方式が単一リンク伝送方式である場合、前記複数のリンクのうちのチャネル品質の最も良いリンクを、前記ＰＤＣＰ  ＰＤＵを伝送するためのリンクとして確定し、又は
前記ＰＤＣＰ  ＰＤＵの伝送方式がデータコピー伝送方式である場合、前記複数のリンクのうちの各リンクのチャネル品質の優先度の降順に基づいて、前記複数のリンクのうちの複数のリンクを、前記ＰＤＣＰ  ＰＤＵを伝送するためのリンクとして確定するように構成され、
前記送信ユニットは、更に、
前記ＰＤＣＰ  ＰＤＵを伝送するためのリンクを示すための第２指示情報を前記第１端末装置に送信するように構成されることを特徴とする
請求項１５〜１７のいずれか１項に記載のネットワーク機器。
【国際調査報告】
2020515182.tif 000011
2020515182.tif 000012
2020515182.tif 000013
2020515182.tif 000014